(57)【要約】  本開示の幾つかの態様は、ワイヤレス通信のための装置を提供する。本装置は、第１のチャネルを介した送信のための第１のチャネル推定シーケンス、第２のチャネルを介した送信のための第２のチャネル推定シーケンス及び第３のチャネルを介した送信のためのデータペイロードの少なくとも第１の部分を備えるフレームを生成するように構成された処理システムと、ここにおいて、第１のチャネルが第１の周波数帯域を含み、第２のチャネルが、第１の周波数帯域とは異なる第２の周波数帯域を含み、並びに、第３のチャネルが、周波数において第１の周波数帯域及び第２の周波数帯域と重複する第３の周波数帯域を含む、送信のためにフレームを出力するように構成されたインターフェースと、を含む。
2018526882.tif 000002
【特許請求の範囲】
【請求項１】
ワイヤレス通信のための装置であって、
第１のチャネルを介した送信のための第１のチャネル推定シーケンス、第２のチャネルを介した送信のための第２のチャネル推定シーケンス及び第３のチャネルを介した送信のためのデータペイロードの少なくとも第１の部分を備えるフレームを生成するように構成された処理システムと、ここにおいて、前記第１のチャネルが第１の周波数帯域を含み、前記第２のチャネルが、前記第１の周波数帯域とは異なる第２の周波数帯域を含み、並びに、前記第３のチャネルが、周波数において前記第１の周波数帯域及び前記第２の周波数帯域と重複する第３の周波数帯域を含む、
送信のために前記フレームを出力するように構成されたインターフェースと
を備える、装置。
【請求項２】
前記処理システムは、前記第１のチャネル推定シーケンスの少なくとも一部分が、前記第２のチャネル推定シーケンスの少なくとも一部分と同時に送信のために構成されるように、前記フレームを生成するように構成された、請求項１に記載の装置。
【請求項３】
前記処理システムは、前記第１のチャネル推定シーケンスの開始及び終了が、前記第２のチャネル推定シーケンスの開始及び終了と実質的に同じ時間に送信のために構成されるように、前記フレームを生成するように構成された、請求項１に記載の装置。
【請求項４】
前記処理システムは、前記第１のチャネル推定シーケンスが、第１のプロトコルに従って動作している第１のデバイスによって復号されるように構成され、前記第１及び第２のチャネル推定シーケンスが、第２のプロトコルに従って動作している第２のデバイスによって復号されるように構成されるように、前記フレームを生成するように構成された、請求項１に記載の装置。
【請求項５】
前記処理システムは、前記フレームが、前記第１のチャネルを介した送信のためのヘッダを更に備えるように、前記フレームを生成するように構成された、請求項１に記載の装置。
【請求項６】
前記処理システムは、前記ヘッダの少なくとも一部分が、前記第２のチャネル推定シーケンスの少なくとも一部分と同時に送信されるように構成されるように、前記フレームを生成するように構成された、請求項５に記載の装置。
【請求項７】
前記処理システムは、前記第２のチャネル推定シーケンスの開始及び終了が、それぞれ、前記ヘッダの開始の前に、及び終了の後に送信されるように構成されるように、前記フレームを生成するように構成された、請求項５に記載の装置。
【請求項８】
前記処理システムは、前記ヘッダが、第１のプロトコルに従って動作している第１のデバイスによって復号されるように構成され、前記ヘッダ及び前記第２のチャネル推定シーケンスが、第２のプロトコルに従って動作している第２のデバイスによって復号されるように構成されるように、前記フレームを生成するように構成された、請求項５に記載の装置。
【請求項９】
前記処理システムは、前記第１の周波数帯域と前記第２の周波数帯域との間に周波数ギャップが存在するように、前記フレームを生成するように構成された、請求項１に記載の装置。
【請求項１０】
前記処理システムは、前記データペイロードの第２の部分が、前記第１のチャネルを介した送信のために構成されるように、前記フレームを生成するように構成された、請求項１に記載の装置。
【請求項１１】
前記処理システムは、前記データペイロードの前記第２の部分の少なくとも一部が、前記第２のチャネル推定シーケンスの少なくとも一部分と同時に送信されるように構成されるように、前記フレームを生成するように構成された、請求項１０に記載の装置。
【請求項１２】
前記処理システムは、前記データペイロードの前記第２の部分の開始及び終了が、それぞれ、前記第２のチャネル推定シーケンスの開始及び終了と実質的に同時に送信されるように構成されるように、前記フレームを生成するように構成された、請求項１０に記載の装置。
【請求項１３】
前記処理システムは、前記第１のチャネル推定シーケンスが、第１のプロトコルに従って動作している第１のデバイスによって復号されるように構成され、前記データペイロードの前記第２の部分並びに前記第１及び第２のチャネル推定シーケンスが、第２のプロトコルに従って動作している第２のデバイスによって復号されるように構成されるように、前記フレームを生成するように構成された、請求項１０に記載の装置。
【請求項１４】
前記処理システムは、前記データペイロードの前記第２の部分及び前記第２のチャネル推定シーケンスが直交周波数分割多重化（ＯＦＤＭ）送信のために構成されるように、前記フレームを生成するように構成された、請求項１０に記載の装置。
【請求項１５】
前記処理システムは、前記データペイロードの前記少なくとも第１の部分が直交周波数分割多重化（ＯＦＤＭ）送信のために構成されるように、前記フレームを生成するように構成された、請求項１に記載の装置。
【請求項１６】
前記処理システムは、前記データペイロードの前記少なくとも第１の部分が、シングルキャリア信号を介した送信のために構成されるように、前記フレームを生成するように構成された、請求項１に記載の装置。
【請求項１７】
前記処理システムは、前記フレームが、第４のチャネルを介した送信のための第３のチャネル推定シーケンスを更に備えるように、前記フレームを生成するように構成され、ここにおいて、前記第４のチャネルが、前記第１及び第２の周波数帯域とは異なる第４の周波数帯域を含む、請求項１に記載の装置。
【請求項１８】
前記第３のチャネルの前記第３の周波数帯域が、周波数において前記第１の、第２の、及び第４の周波数帯域と重複する、請求項１７に記載の装置。
【請求項１９】
前記第３の周波数帯域の第１の終了が、周波数において前記第１の周波数帯域の終了と実質的に一致し、前記第３の周波数帯域の第２の終了が、周波数において前記第４の周波数帯域の終了と実質的に一致する、請求項１７に記載の装置。
【請求項２０】
前記第１のチャネル推定シーケンスが第１のゴレイシーケンスを備え、前記第２のチャネル推定シーケンスが第２のゴレイシーケンスを備える、請求項１に記載の装置。
【請求項２１】
前記処理システムが、
第１の長さ及び第１の帯域幅をもつ第１の中間チャネル推定シーケンスを生成するために第１の入力チャネル推定シーケンスをアップサンプリングするように構成された第１の補間デバイスと、
前記第１の中間チャネル推定シーケンスを周波数シフトすることによって前記第１のチャネル推定シーケンスを生成するように構成された第１の変調器と、
第２の長さ及び第２の帯域幅をもつ前記第２のチャネル推定シーケンス又は前記第１の長さ及び前記第２の帯域幅をもつ第２の中間チャネル推定シーケンスを生成するために第２の入力チャネル推定シーケンスをアップサンプリングするように構成された第２の補間デバイスと
を備える、請求項１に記載の装置。
【請求項２２】
前記処理システムが、前記第２の中間チャネル推定シーケンスを周波数シフトすることによって前記第２のチャネル推定シーケンスを生成するように構成された第２の変調器を更に備える、請求項２１に記載の装置。
【請求項２３】
ワイヤレス通信のための方法であって、
第１のチャネルを介した送信のための第１のチャネル推定シーケンス、第２のチャネルを介した送信のための第２のチャネル推定シーケンス及び第３のチャネルを介した送信のためのデータペイロードの少なくとも第１の部分を備えるフレームを生成することと、ここにおいて、前記第１のチャネルが第１の周波数帯域を含み、ここにおいて、前記第２のチャネルが、前記第１の周波数帯域とは異なる第２の周波数帯域を含み、並びにここにおいて、前記第３のチャネルが、周波数において前記第１の周波数帯域及び前記第２の周波数帯域と重複する第３の周波数帯域を含む、
送信のために前記フレームを出力することと
を備える、方法。
【請求項２４】
前記フレームを生成することは、前記第１のチャネル推定シーケンスの少なくとも一部分が、前記第２のチャネル推定シーケンスの少なくとも一部分と同時に送信のために構成されるように、前記フレームを生成することを備える、請求項２３に記載の方法。
【請求項２５】
前記フレームを生成することは、前記第１のチャネル推定シーケンスの開始及び終了が、前記第２のチャネル推定シーケンスの開始及び終了と実質的に同じ時間に送信のために構成されるように、前記フレームを生成することを備える、請求項２３に記載の方法。
【請求項２６】
前記フレームを生成することは、前記第１のチャネル推定シーケンスが、第１のプロトコルに従って動作している第１のデバイスによって復号されるように構成され、前記第１及び第２のチャネル推定シーケンスが、第２のプロトコルに従って動作している第２のデバイスによって復号されるように構成されるように、前記フレームを生成することを備える、請求項２３に記載の方法。
【請求項２７】
前記フレームを生成することが、前記第１のチャネルを介した送信のためのヘッダを生成することを備える、請求項２３に記載の方法。
【請求項２８】
前記フレームを生成することは、前記ヘッダの少なくとも一部分が、前記第２のチャネル推定シーケンスの少なくとも一部分と同時に送信されるように構成されるように、前記フレームを生成することを備える、請求項２７に記載の方法。
【請求項２９】
前記フレームを生成することは、前記第２のチャネル推定シーケンスの開始及び終了が、それぞれ、前記ヘッダの開始の前に、及び終了の後に送信されるように構成されるように、前記フレームを生成することを備える、請求項２７に記載の方法。
【請求項３０】
前記フレームを生成することは、前記ヘッダが、第１のプロトコルに従って動作している第１のデバイスによって復号されるように構成され、前記ヘッダ及び前記第２のチャネル推定シーケンスが、第２のプロトコルに従って動作している第２のデバイスによって復号されるように構成されるように、前記フレームを生成することを備える、請求項２７に記載の方法。
【請求項３１】
前記フレームを生成することは、前記第１の周波数帯域と前記第２の周波数帯域との間に周波数ギャップが存在するように、前記フレームを生成することを備える、請求項２３に記載の方法。
【請求項３２】
前記フレームを生成することは、前記データペイロードの第２の部分が、前記第１のチャネルを介した送信のために構成されるように、前記フレームを生成することを備える、請求項２３に記載の方法。
【請求項３３】
前記フレームを生成することは、前記データペイロードの前記第２の部分の少なくとも一部が、前記第２のチャネル推定シーケンスの少なくとも一部分と同時に送信されるように構成されるように、前記フレームを生成することを備える、請求項３２に記載の方法。
【請求項３４】
前記フレームを生成することは、前記データペイロードの前記第２の部分の開始及び終了が、それぞれ、前記第２のチャネル推定シーケンスの開始及び終了と実質的に同時に送信されるように構成されるように、前記フレームを生成することを備える、請求項３２に記載の方法。
【請求項３５】
前記フレームを生成することは、前記第１のチャネル推定シーケンスが、第１のプロトコルに従って動作している第１のデバイスによって復号されるように構成され、前記データペイロードの前記第２の部分並びに前記第１及び第２のチャネル推定シーケンスが、第２のプロトコルに従って動作している第２のデバイスによって復号されるように構成されるように、前記フレームを生成することを備える、請求項３２に記載の方法。
【請求項３６】
前記フレームを生成するは、前記データペイロードの前記第２の部分及び前記第２のチャネル推定シーケンスが直交周波数分割多重化（ＯＦＤＭ）送信のために構成されるように、前記フレームを生成することを備える、請求項３２に記載の方法。
【請求項３７】
前記フレームを生成することは、前記データペイロードの前記少なくとも第１の部分が直交周波数分割多重化（ＯＦＤＭ）送信のために構成されるように、前記フレームを生成することを備える、請求項２３に記載の方法。
【請求項３８】
前記フレームを生成することは、前記データペイロードの前記少なくとも第１の部分が、シングルキャリア信号を介した送信のために構成されるように、前記フレームを生成することを備える、請求項２３に記載の方法。
【請求項３９】
前記フレームを生成することは、第４のチャネルを介した送信のための第３のチャネル推定シーケンスを生成することを備え、ここにおいて、前記第４のチャネルが、前記第１及び第２の周波数帯域とは異なる第４の周波数帯域を含む、請求項２３に記載の方法。
【請求項４０】
前記第３のチャネルの前記第３の周波数帯域が、周波数において前記第１の、第２の、及び第４の周波数帯域と重複する、請求項３９に記載の方法。
【請求項４１】
前記第３の周波数帯域の第１の終了が、周波数において前記第１の周波数帯域の終了と実質的に一致し、前記第３の周波数帯域の第２の終了が、周波数において前記第４の周波数帯域の終了と実質的に一致する、請求項３９に記載の方法。
【請求項４２】
前記第１のチャネル推定シーケンスが第１のゴレイシーケンスを備え、前記第２のチャネル推定シーケンスが第２のゴレイシーケンスを備える、請求項２３に記載の方法。
【請求項４３】
前記フレームを生成することが、
第１の長さ及び第１の帯域幅をもつ第１の中間チャネル推定シーケンスを生成するために第１の入力チャネル推定シーケンスをアップサンプリングすることと、
前記第１の中間チャネル推定シーケンスを周波数シフトすることによって前記第１のチャネル推定シーケンスを生成することと、
第２の長さ及び第２の帯域幅をもつ前記第２のチャネル推定シーケンス又は前記第１の長さ及び前記第２の帯域幅をもつ第２の中間チャネル推定シーケンスを生成するために第２の入力チャネル推定シーケンスをアップサンプリングすることと
を備える、請求項２３に記載の方法。
【請求項４４】
前記フレームを生成することが、前記第２の中間チャネル推定シーケンスを周波数シフトすることによって前記第２のチャネル推定シーケンスを生成するように構成された第２の変調器を更に備える、請求項４３に記載の方法。
【請求項４５】
ワイヤレス通信のための装置であって、
第１のチャネルを介した送信のための第１のチャネル推定シーケンス、第２のチャネルを介した送信のための第２のチャネル推定シーケンス及び第３のチャネルを介した送信のためのデータペイロードの少なくとも第１の部分を備えるフレームを生成するための手段と、ここにおいて、前記第１のチャネルが第１の周波数帯域を含み、前記第２のチャネルが、前記第１の周波数帯域とは異なる第２の周波数帯域を含み、並びに、前記第３のチャネルが、周波数において前記第１の周波数帯域及び前記第２の周波数帯域と重複する第３の周波数帯域を含む、
送信のために前記フレームを出力するための手段と
を備える、装置。
【請求項４６】
前記フレームを生成するための前記手段は、前記第１のチャネル推定シーケンスの少なくとも一部分が、前記第２のチャネル推定シーケンスの少なくとも一部分と同時に送信のために構成されるように、前記フレームを生成するための手段を備える、請求項４５に記載の装置。
【請求項４７】
前記フレームを生成するための前記手段は、前記第１のチャネル推定シーケンスの開始及び終了が、前記第２のチャネル推定シーケンスの開始及び終了と実質的に同じ時間に送信のために構成されるように、前記フレームを生成するための手段を備える、請求項４５に記載の装置。
【請求項４８】
前記フレームを生成するための前記手段は、前記第１のチャネル推定シーケンスが、第１のプロトコルに従って動作している第１のデバイスによって復号されるように構成され、前記第１及び第２のチャネル推定シーケンスが、第２のプロトコルに従って動作している第２のデバイスによって復号されるように構成されるように、前記フレームを生成するための手段を備える、請求項４５に記載の装置。
【請求項４９】
前記フレームを生成するための前記手段が、前記第１のチャネルを介した送信のためのヘッダを生成するための手段を備える、請求項４５に記載の装置。
【請求項５０】
前記フレームを生成するための前記手段は、前記ヘッダの少なくとも一部分が、前記第２のチャネル推定シーケンスの少なくとも一部分と同時に送信されるように構成されるように、前記フレームを生成するための手段を備える、請求項４９に記載の装置。
【請求項５１】
前記フレームを生成するための前記手段は、前記第２のチャネル推定シーケンスの開始及び終了が、それぞれ、前記ヘッダの開始の前に、及び終了の後に送信されるように構成されるように、前記フレームを生成するための手段を備える、請求項４９に記載の装置。
【請求項５２】
前記フレームを生成するための前記手段は、前記ヘッダが、第１のプロトコルに従って動作している第１のデバイスによって復号されるように構成され、前記ヘッダ及び前記第２のチャネル推定シーケンスが、第２のプロトコルに従って動作している第２のデバイスによって復号されるように構成されるように、前記フレームを生成するための手段を備える、請求項４９に記載の装置。
【請求項５３】
前記フレームを生成するための前記手段は、前記第１の周波数帯域と前記第２の周波数帯域との間に周波数ギャップが存在するように、前記フレームを生成するための手段を備える、請求項４５に記載の装置。
【請求項５４】
前記フレームを生成するための前記手段は、前記データペイロードの第２の部分が、前記第１のチャネルを介した送信のために構成されるように、前記フレームを生成するための手段を備える、請求項４５に記載の装置。
【請求項５５】
前記フレームを生成するための前記手段は、前記データペイロードの前記第２の部分の少なくとも一部が、前記第２のチャネル推定シーケンスの少なくとも一部分と同時に送信されるように構成されるように、前記フレームを生成するための手段を備える、請求項５４に記載の装置。
【請求項５６】
前記フレームを生成するための前記手段は、前記データペイロードの前記第２の部分の開始及び終了が、それぞれ、前記第２のチャネル推定シーケンスの開始及び終了と実質的に同時に送信されるように構成されるように、前記フレームを生成するための手段を備える、請求項５４に記載の装置。
【請求項５７】
前記フレームを生成するための前記手段は、前記第１のチャネル推定シーケンスが、第１のプロトコルに従って動作している第１のデバイスによって復号されるように構成され、前記データペイロードの前記第２の部分並びに前記第１及び第２のチャネル推定シーケンスが、第２のプロトコルに従って動作している第２のデバイスによって復号されるように構成されるように、前記フレームを生成するための手段を備える、請求項５４に記載の装置。
【請求項５８】
前記フレームを生成するための前記手段は、前記データペイロードの前記第２の部分及び前記第２のチャネル推定シーケンスが直交周波数分割多重化（ＯＦＤＭ）送信のために構成されるように、前記フレームを生成するための手段を備える、請求項５４に記載の装置。
【請求項５９】
前記フレームを生成するための前記手段は、前記データペイロードの前記少なくとも第１の部分が直交周波数分割多重化（ＯＦＤＭ）送信のために構成されるように、前記フレームを生成するための手段を備える、請求項４５に記載の装置。
【請求項６０】
前記フレームを生成するための前記手段は、前記データペイロードの前記少なくとも第１の部分が、シングルキャリア信号を介した送信のために構成されるように、前記フレームを生成するための手段を備える、請求項４５に記載の装置。
【請求項６１】
前記フレームを生成するための前記手段は、第４のチャネルを介した送信のための第３のチャネル推定シーケンスを生成するための手段を備え、ここにおいて、前記第４のチャネルが、前記第１及び第２の周波数帯域とは異なる第４の周波数帯域を含む、請求項４５に記載の装置。
【請求項６２】
前記第３のチャネルの前記第３の周波数帯域が、周波数において前記第１の、第２の、及び第４の周波数帯域と重複する、請求項６１に記載の装置。
【請求項６３】
前記第３の周波数帯域の第１の終了が、周波数において前記第１の周波数帯域の終了と実質的に一致し、前記第３の周波数帯域の第２の終了が、周波数において前記第４の周波数帯域の終了と実質的に一致する、請求項６１に記載の装置。
【請求項６４】
前記第１のチャネル推定シーケンスが第１のゴレイシーケンスを備え、前記第２のチャネル推定シーケンスが第２のゴレイシーケンスを備える、請求項４５に記載の装置。
【請求項６５】
前記フレームを生成するための前記手段が、
第１の長さ及び第１の帯域幅をもつ第１の中間チャネル推定シーケンスを生成するために第１の入力チャネル推定シーケンスをアップサンプリングするための手段と、
前記第１の中間チャネル推定シーケンスを周波数シフトすることによって前記第１のチャネル推定シーケンスを生成するための手段と、
第２の長さ及び第２の帯域幅をもつ前記第２のチャネル推定シーケンス又は前記第１の長さ及び前記第２の帯域幅をもつ第２の中間チャネル推定シーケンスを生成するために第２の入力チャネル推定シーケンスをアップサンプリングするための手段と
を備える、請求項４５に記載の装置。
【請求項６６】
前記フレームを生成するための前記手段が、前記第２の中間チャネル推定シーケンスを周波数シフトすることによって前記第２のチャネル推定シーケンスを生成するための手段を更に備える、請求項６５に記載の装置。
【請求項６７】
第１のチャネルを介した送信のための第１のチャネル推定シーケンス、第２のチャネルを介した送信のための第２のチャネル推定シーケンス及び第３のチャネルを介した送信のためのデータペイロードの少なくとも第１の部分を備えるフレームを生成するための命令と、ここにおいて、前記第１のチャネルが第１の周波数帯域を含み、ここにおいて、前記第２のチャネルが、前記第１の周波数帯域とは異なる第２の周波数帯域を含み、並びに、前記第３のチャネルが、周波数において前記第１の周波数帯域及び前記第２の周波数帯域と重複する第３の周波数帯域を含む、送信のために前記フレームを出力するための命令と、を記憶したコンピュータ可読媒体。
【請求項６８】
ワイヤレスノードであって、
少なくとも１つのアンテナと、
第１のチャネルを介した送信のための第１のチャネル推定シーケンス、第２のチャネルを介した送信のための第２のチャネル推定シーケンス及び第３のチャネルを介した送信のためのデータペイロードの少なくとも第１の部分を備えるフレームを生成するように構成された処理システムと、ここにおいて、前記第１のチャネルが第１の周波数帯域を含み、前記第２のチャネルが、前記第１の周波数帯域とは異なる第２の周波数帯域を含み、並びに、前記第３のチャネルが、周波数において前記第１の周波数帯域及び前記第２の周波数帯域と重複する第３の周波数帯域を含む、
前記少なくとも１つのアンテナを介して前記フレームを送信するように構成された送信機と
を備える、ワイヤレスノード。
【発明の詳細な説明】
【技術分野】
【０００１】
関連出願の相互参照
[0001]本出願は、その内容全体が参照により本明細書に組み込まれる、２０１５年７月２７日に出願され「Ｆｒａｍｅ  Ｆｏｒｍａｔ  ｆｏｒ  Ｆａｃｉｌｉｔａｔｉｎｇ  Ｃｈａｎｎｅｌ  Ｅｓｔｉｍａｔｉｏｎ  ｆｏｒ  Ｓｉｇｎａｌｓ  Ｔｒａｎｓｍｉｔｔｅｄ  ｖｉａ  Ｂｏｎｄｅｄ  Ｃｈａｎｎｅｌｓ」と題する、米国仮出願第６２／１９７，５２０号及び２０１６年７月１９日に出願され「Ｆｒａｍｅ  Ｆｏｒｍａｔ  ｆｏｒ  Ｆａｃｉｌｉｔａｔｉｎｇ  Ｃｈａｎｎｅｌ  Ｅｓｔｉｍａｔｉｏｎ  ｆｏｒ  Ｓｉｇｎａｌｓ  Ｔｒａｎｓｍｉｔｔｅｄ  Ｖｉａ  Ｂｏｎｄｅｄ  Ｃｈａｎｎｅｌｓ」と題する、米国非仮出願第１５／２１４，２５５号の出願日の利益を主張する。
【０００２】
[0002]本開示の幾つかの態様は、一般にワイヤレス通信に関し、より詳細には、周波数において別個の周波数チャネルと重複する結合周波数チャネルを介して送信されたデータを復号することを円滑化するために、別個の周波数チャネルを介して送信されるチャネル推定シーケンスを含むフレームを送信及び受信することに関する。
【背景技術】
【０００３】
[0003]ＩＥＥＥ８０２．１１ａｄプロトコルによるフレームは、ショートトレーニングシーケンス、チャネル推定シーケンス、ヘッダ及びデータペイロードを含む。８０２．１１ａｄプロトコルによれば、フレームは、それぞれ、隣接する重複しない周波数帯域を有する複数の定義されたチャネルのうちの選択されたチャネルを介して送信され得る。チャネル推定シーケンスは、選択されたチャネルの周波数帯域に関連する受信機におけるチャネル推定を円滑化する。
【０００４】
[0004]新たに設計されるフレームの使用によってデータスループットを増加させるために、ＩＥＥＥ８０２．１１ａｙとして暫定的に識別される新しいプロトコルが開発されている。新しいフレームは、複数の結合チャネルを介してデータペイロードを送信するために構成される。結合チャネルは、８０２．１１ａｄにおいて定義されたチャネルの重複しない周波数帯域の２つ以上の隣接する周波数帯域を包含する周波数帯域を含む。従って、結合チャネルは、ＩＥＥＥ  ８０２．１１ａｄにおいて定義されたチャネルの各々の帯域幅よりも広い帯域幅を有するので、結合チャネルは、より高いスループットでのデータの送信を円滑化することが可能である。
【０００５】
[0005]受信機が結合チャネルを介して送信されたデータを適切に復号するために、受信機は、結合チャネルの周波数範囲内でチャネル応答について推定する必要がある。本明細書で説明する新しいフレームは、そのようなチャネル推定を受信機が決定又は生成することを円滑化する。
【発明の概要】
【０００６】
[0006]本開示の幾つかの態様は、ワイヤレス通信のための装置を提供する。本装置は、第１のチャネルを介した送信のための第１のチャネル推定シーケンス、第２のチャネルを介した送信のための第２のチャネル推定シーケンス及び第３のチャネルを介した送信のためのデータペイロードの少なくとも第１の部分を備えるフレームを生成するように構成された処理システムと、ここにおいて、第１のチャネルが第１の周波数帯域を含み、第２のチャネルが、第１の周波数帯域とは異なる第２の周波数帯域を含み、並びに、第３のチャネルが、周波数において第１の周波数帯域及び第２の周波数帯域と重複する第３の周波数帯域を含む、送信のためにフレームを出力するように構成されたインターフェースと、を備える。
【０００７】
[0007]本開示の幾つかの態様は、ワイヤレス通信のための方法を提供する。本方法は、第１のチャネルを介した送信のための第１のチャネル推定シーケンス、第２のチャネルを介した送信のための第２のチャネル推定シーケンス及び第３のチャネルを介した送信のためのデータペイロードの少なくとも第１の部分を備えるフレームを生成することと、ここにおいて、第１のチャネルが第１の周波数帯域を含み、第２のチャネルが、第１の周波数帯域とは異なる第２の周波数帯域を含み、並びに、第３のチャネルが、周波数において第１の周波数帯域及び第２の周波数帯域と重複する第３の周波数帯域を含む、送信のためにフレームを出力することと、を備える。
【０００８】
[0008]本開示の幾つかの態様は、ワイヤレス通信のための装置を提供する。本装置は、第１のチャネルを介した送信のための第１のチャネル推定シーケンス、第２のチャネルを介した送信のための第２のチャネル推定シーケンス及び第３のチャネルを介した送信のためのデータペイロードの少なくとも第１の部分を備えるフレームを生成するための手段と、ここにおいて、第１のチャネルが第１の周波数帯域を含み、第２のチャネルが、第１の周波数帯域とは異なる第２の周波数帯域を含み、並びに、第３のチャネルが、周波数において第１の周波数帯域及び第２の周波数帯域と重複する第３の周波数帯域を含む、送信のためにフレームを出力するための手段と、を備える。
【０００９】
[0009]本開示の幾つかの態様は、第１のチャネルを介した送信のための第１のチャネル推定シーケンス、第２のチャネルを介した送信のための第２のチャネル推定シーケンス及び第３のチャネルを介した送信のためのデータペイロードの少なくとも第１の部分を備えるフレームを生成するための命令と、ここにおいて、第１のチャネルが第１の周波数帯域を含み、第２のチャネルが、第１の周波数帯域とは異なる第２の周波数帯域を含み、並びに、第３のチャネルが、周波数において第１の周波数帯域及び第２の周波数帯域と重複する第３の周波数帯域を含む、送信のためにフレームを出力するための命令と、を記憶したコンピュータ可読媒体を提供する。
【００１０】
[0010]本開示の幾つかの態様はワイヤレスノードを提供する。ワイヤレスノードは、少なくとも１つのアンテナと、第１のチャネルを介した送信のための第１のチャネル推定シーケンス、第２のチャネルを介した送信のための第２のチャネル推定シーケンス及び第３のチャネルを介した送信のためのデータペイロードの少なくとも第１の部分を備えるフレームを生成するように構成された処理システムと、ここにおいて、第１のチャネルが第１の周波数帯域を含み、第２のチャネルが、第１の周波数帯域とは異なる第２の周波数帯域を含み、並びに、第３のチャネルが、周波数において第１の周波数帯域及び第２の周波数帯域と重複する第３の周波数帯域を含む、少なくとも１つのアンテナを介して送信のためにフレームを出力するように構成されたインターフェースと、を備える。
【００１１】
[0011]本開示の態様はまた、上記で説明した装置及び動作に対応する様々な方法、手段及びコンピュータプログラム製品を提供する。
【図面の簡単な説明】
【００１２】
【図１】[0012]本開示の幾つかの態様による例示的なワイヤレス通信ネットワークの図。
【図２】[0013]本開示の幾つかの態様による、互いに通信しているワイヤレスノードの例示的なペアのブロック図。
【図３Ａ】[0014]本開示の幾つかの態様による例示的なフレーム又はフレーム部分を示す図。
【図３Ｂ】[0015]本開示の幾つかの態様による例示的な拡張方向性マルチギガビット（ＥＤＭＧ：Extended Directional Multigigabit）ヘッダを示す図。
【図４Ａ】[0016]本開示の幾つかの態様による、直交周波数分割多重化（ＯＦＤＭ）送信を介したデータの送信のための例示的なフレームのセットを示す図。
【図４Ｂ】本開示の幾つかの態様による、直交周波数分割多重化（ＯＦＤＭ）送信を介したデータの送信のための例示的なフレームのセットを示す図。
【図４Ｃ】本開示の幾つかの態様による、直交周波数分割多重化（ＯＦＤＭ）送信を介したデータの送信のための例示的なフレームのセットを示す図。
【図４Ｄ】本開示の幾つかの態様による、直交周波数分割多重化（ＯＦＤＭ）送信を介したデータの送信のための例示的なフレームのセットを示す図。
【図５Ａ】[0017]本開示の幾つかの態様による、直交周波数分割多重化（ＯＦＤＭ）送信を介したデータの送信のための例示的なフレームの別のセットを示す図。
【図５Ｂ】本開示の幾つかの態様による、直交周波数分割多重化（ＯＦＤＭ）送信を介したデータの送信のための例示的なフレームの別のセットを示す図。
【図５Ｃ】本開示の幾つかの態様による、直交周波数分割多重化（ＯＦＤＭ）送信を介したデータの送信のための例示的なフレームの別のセットを示す図。
【図６Ａ】[0018]本開示の幾つかの態様による、直交周波数分割多重化（ＯＦＤＭ）送信を介したデータの送信のための例示的なフレームのまた別のセットを示す図。
【図６Ｂ】本開示の幾つかの態様による、直交周波数分割多重化（ＯＦＤＭ）送信を介したデータの送信のための例示的なフレームのまた別のセットを示す図。
【図６Ｃ】本開示の幾つかの態様による、直交周波数分割多重化（ＯＦＤＭ）送信を介したデータの送信のための例示的なフレームのまた別のセットを示す図。
【図７】[0019]図７Ａ〜７Ｃは本開示の幾つかの態様による、シングルキャリア広帯域（ＳＣ  ＷＢ：single carrier wideband）送信を介したデータの送信のための例示的なフレームのセットを示す図、図７Ｄは本開示の幾つかの態様による、図７Ａ〜図７Ｃの例示的なフレームのセットに関連する例示的な送信電力プロファイルを示す図。
【図８】[0021]図８Ａ〜図８Ｃは本開示の幾つかの態様による、シングルキャリア広帯域（ＳＣ  ＷＢ）送信を介したデータの送信のための例示的なフレームの別のセットを示す図、図８Ｄは本開示の幾つかの態様による、図８Ａ〜図８Ｃの例示的なフレームのセットに関連する例示的な送信電力プロファイルを示す図。
【図９】[0023]図９Ａ〜図９Ｃは本開示の幾つかの態様による、シングルキャリア広帯域（ＳＣ  ＷＢ）送信を介したデータの送信のための例示的なフレームのまた別のセットを示す図、図９Ｄは本開示の幾つかの態様による、図９Ａ〜図９Ｃの例示的なフレームのセットに関連する例示的な送信電力プロファイルを示す図。
【図１０Ａ】[0025]本開示の別の態様による、ショートメッセージの送信のための例示的なフレームを示す図。
【図１０Ｂ】本開示の別の態様による、ショートメッセージの送信のための例示的なフレームを示す図。
【図１０Ｃ】本開示の別の態様による、ショートメッセージの送信のための例示的なフレームを示す図。
【図１０Ｄ】本開示の別の態様による、ショートメッセージの送信のための例示的なフレームを示す図。
【図１１Ａ】[0026]本開示の幾つかの態様による、アグリゲートシングルキャリア（ＳＣ）送信を介したデータの送信のための例示的なフレームを示す図。
【図１１Ｂ】本開示の幾つかの態様による、アグリゲートシングルキャリア（ＳＣ）送信を介したデータの送信のための例示的なフレームを示す図。
【図１１Ｃ】本開示の幾つかの態様による、アグリゲートシングルキャリア（ＳＣ）送信を介したデータの送信のための例示的なフレームを示す図。
【図１１Ｄ】本開示の幾つかの態様による、アグリゲートシングルキャリア（ＳＣ）送信を介したデータの送信のための例示的なフレームを示す図。
【図１２】[0027]本開示の幾つかの態様による、複数（例えば、３つ）の空間多入力多出力（ＭＩＭＯ）直交周波数分割多重化（ＯＦＤＭ）送信を介したデータの送信のための例示的なフレームを示す図。
【図１３Ａ】[0028]本開示の幾つかの態様による、複数（例えば、２つ）の空間多入力多出力（ＭＩＭＯ）シングルキャリア広帯域（ＳＣ  ＷＢ）送信を介したデータの送信のための例示的なフレームを示す図。
【図１３Ｂ】本開示の幾つかの態様による、複数（例えば、４つ）の空間多入力多出力（ＭＩＭＯ）シングルキャリア広帯域（ＳＣ  ＷＢ）送信を介したデータの送信のための例示的なフレームを示す図。
【図１３Ｃ】本開示の幾つかの態様による、複数（例えば、８つ）の空間多入力多出力（ＭＩＭＯ）シングルキャリア広帯域（ＳＣ  ＷＢ）送信を介したデータの送信のための例示的なフレームを示す図。
【図１４Ａ】[0029]本開示の幾つかの態様による、複数（例えば、２つ）の空間多入力多出力（ＭＩＭＯ）アグリゲートシングルキャリア（ＳＣ）送信を介したデータの送信のための例示的なフレームを示す図。
【図１４Ｂ】本開示の幾つかの態様による、複数（例えば、３つ）の空間多入力多出力（ＭＩＭＯ）アグリゲートシングルキャリア（ＳＣ）送信を介したデータの送信のための例示的なフレームを示す図。
【図１５Ａ】[0030]本開示の幾つかの態様による、チャネル推定信号をもつ様々な例示的なフレームの送信のための例示的な装置のブロック図。
【図１５Ｂ】本開示の幾つかの態様による、チャネル推定信号をもつ様々な例示的なフレームの送信のための例示的な装置のブロック図。
【図１５Ｃ】本開示の幾つかの態様による、チャネル推定信号をもつ様々な例示的なフレームの送信のための例示的な装置のブロック図。
【図１５Ｄ】[0031]本明細書で説明する幾つかのフレームのＬ−ＣＥＦ｜ＣＥＦ−ＧＦ｜Ｌ−ＣＥＦ部分に関連する例示的な周波数スペクトルの図。
【図１５Ｅ】本明細書で説明する幾つかのフレームのＬ−ＣＥＦ｜ＣＥＦ−ＧＦ｜Ｌ−ＣＥＦ部分に関連する例示的な周波数スペクトルの図。
【図１５Ｆ】[0032]本明細書で説明する幾つかのフレームのＬ−ＣＥＦ｜｜Ｌ−ＣＥＦ｜｜Ｌ−ＣＥＦ部分に関連する周波数スペクトルの図。
【図１５Ｇ】[0033]本明細書で説明する幾つかのフレームのＬ−ヘッダ｜ＣＥＦ−ＧＦ｜Ｌ−ヘッダ｜ＣＥＦ−ＧＦ｜Ｌ−ヘッダ部分に関連する周波数スペクトルの図。
【図１６】[0034]本開示の幾つかの態様による例示的なデバイスのブロック図。
【発明を実施するための形態】
【００１３】
[0035]本開示の態様は、複数のチャネルの各々において送信されるチャネル推定トレーニングシーケンスを使用することによって複数のチャネルを結合することによって形成される結合チャネルのチャネル推定を実施するための技法を提供する。
【００１４】
[0036]添付の図面を参照しながら、本開示の様々な態様について以下でより完全に説明する。但し、本開示は、多くの異なる形態で具現化され得、本開示全体にわたって提示されるどのような特定の構造又は機能にも限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わされるにせよ、本明細書で開示される本開示のいかなる態様をもカバーするものであることを、当業者は諒解されたい。例えば、本明細書に記載される態様をいくつ使用しても、装置は実装され得、又は方法は実施され得る。更に、本開示の範囲は、本明細書に記載される本開示の様々な態様に加えて又はそれらの態様以外に、他の構造、機能、又は構造及び機能を使用して実施されるそのような装置又は方法をカバーするものである。本明細書で開示される本開示のいずれの態様も、請求項の１つ又は複数の要素によって実施され得ることを理解されたい。
【００１５】
[0037]「例示的」という単語は、本明細書では「例、事例、又は例示の働きをすること」を意味するために使用される。本明細書で「例示的」として説明するいずれの態様も、必ずしも、他の態様よりも好ましい又は有利であると解釈されるべきでない。
【００１６】
[0038]本明細書では特定の態様について説明するが、これらの態様の多くの変形及び置換は本開示の範囲内に入る。好適な態様の幾つかの利益及び利点について説明するが、本開示の範囲は、特定の利益、使用、又は目的に限定されるものではない。むしろ、本開示の態様は、様々なワイヤレス技術、システム構成、ネットワーク及び送信プロトコルに広く適用可能であるものであり、それらのうちの幾つかは、例として、図及び好適な態様についての以下の説明において示される。発明を実施するための形態及び図面は、本開示を限定するものではなく説明するものにすぎず、本開示の範囲は添付の特許請求の範囲及びそれの均等物によって定義される。
【００１７】
例示的なワイヤレス通信システム
[0039]本明細書で説明する技法は、直交多重化方式に基づく通信システムを含む様々なブロードバンドワイヤレス通信システムのために使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアはデータで独立して変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、又は隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【００１８】
[0040]本明細書の教示は、様々なワイヤード又はワイヤレス装置（例えば、ノード）に組み込まれ得る（例えば、その装置内に実装されるか、又はその装置によって実施され得る）。幾つかの態様では、本明細書の教示に従って実装されるワイヤレスノードは、アクセスポイント又はアクセス端末を備え得る。
【００１９】
[0041]アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、又は何らかの他の用語を備えるか、それらとして実装されるか、若しくはそれらとして知られ得る。
【００２０】
[0042]アクセス端末（「ＡＴ」）は、加入者局、加入者ユニット、移動局、リモート局、リモート端末、ユーザ端末、ユーザエージェント、ユーザデバイス、ユーザ機器、ユーザ局、又は何らかの他の用語を備えるか、それらとして実装されるか、若しくはそれらとして知られ得る。幾つかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、又はワイヤレスモデムに接続された何らかの他の好適な処理デバイスを備え得る。従って、本明細書で教示される１つ又は複数の態様は、電話（例えば、セルラーフォン又はスマートフォン）、コンピュータ（例えば、ラップトップ）、ポータブル通信デバイス、ポータブルコンピュータデバイス（例えば、個人情報端末）、エンターテインメントデバイス（例えば、音楽又はビデオデバイス、又は衛星ラジオ）、全地球測位システムデバイス、又はワイヤレス若しくはワイヤード媒体を介して通信するように構成された他の好適なデバイスに組み込まれ得る。幾つかの態様では、ノードはワイヤレスノードである。そのようなワイヤレスノードは、例えば、ワイヤード又はワイヤレス通信リンクを介した、ネットワーク（例えば、インターネット又はセルラーネットワークなど、ワイドエリアネットワーク）のための、又はネットワークへの接続性を提供し得る。
【００２１】
[0043]以下の説明に関して、アクセスポイントとユーザデバイスとの間の通信が可能にされるだけでなく、それぞれのユーザデバイス間の直接（例えば、ピアツーピア）通信も可能にされることを理解されたい。更に、デバイス（例えば、アクセスポイント又はユーザデバイス）は、様々な状況に応じてユーザデバイスとアクセスポイントとの間でそれの挙動を変更し得る。また、１つの物理デバイスは、例えば、異なるチャネル上で、異なるタイムスロット上で、又は両方の上で、ユーザデバイス及びアクセスポイント、複数のユーザデバイス、複数のアクセスポイントなど、複数の役割を果たし得る。
【００２２】
[0044]図１は、本開示の幾つかの態様による例示的なワイヤレス通信ネットワーク１００の図である。通信ネットワーク１００は、アクセスポイント１０２と、バックボーンネットワーク１０４と、レガシーユーザデバイス１０６と、更新されたレガシーユーザデバイス１０８と、新しいプロトコルユーザデバイス１１０とを備える。
【００２３】
[0045]ワイヤレスローカルエリアネットワーク（ＬＡＮ）適用例のために構成され得るアクセスポイント１０２は、ユーザデバイス１０６、１０８及び１１０間のデータ通信を円滑化し得る。アクセスポイント１０２は、バックボーンネットワーク１０４に連結されたデバイスと、ユーザデバイス１０６、１０８及び１１０のうちのいずれか１つ又は複数との間のデータ通信を更に円滑化し得る。
【００２４】
[0046]この例では、アクセスポイント１０２とレガシーユーザデバイス１０６は、レガシープロトコルを使用して互いの間でデータ通信する。レガシープロトコルの一例はＩＥＥＥ８０２．１１ａｄを含む。このプロトコルによれば、アクセスポイント１０２とレガシーユーザデバイス１０６との間のデータ通信は、８０２．１１ａｄプロトコルに準拠するデータフレームの送信を介して実現される。本明細書で更に説明するように、８０２．１１ａｄデータフレームは、レガシーショートトレーニングフィールド（Ｌ−ＳＴＦ）及びレガシーチャネル推定シーケンス（Ｌ−ＣＥＳ）（今はより一般的にレガシーチャネル推定フィールド（Ｌ−ＣＥＦ）と呼ばれる）からなるプリアンブルと、レガシーヘッダ（Ｌ−ヘッダ）と、データペイロードと、随意のビームフォーミングトレーニングフィールドとを含む。
【００２５】
[0047]Ｌ−ＳＴＦシーケンスは、複数のゴレイシーケンス（Golay sequence）（Ｇａ128）と、Ｌ−ＳＴＦシーケンスの終了を示すための負のゴレイシーケンス（−Ｇａ128）とを含む。Ｌ−ＳＴＦシーケンスは、受信機が、フレームの残り及び後続のフレームを正確に受信するためにそれの自動利得制御（ＡＧＣ）、タイミング及び周波数セットアップをセットアップするのを支援し得る。シングルキャリア（ＳＣ）送信モードの場合、Ｌ−ＣＥＦシーケンスは、（以下の連結されたゴレイシーケンス（−Ｇｂ128、−Ｇａ128、Ｇｂ128、−Ｇａ128）からなるＧｕ512シーケンスと、後続の（以下の連結されたゴレイシーケンス（−Ｇｂ128、Ｇａ128、−Ｇｂ128、−Ｇａ128）からなるＧｖ512シーケンスとを含み、（−Ｇｂ128と同じ）Ｇｖ128シーケンスで終了する。直交周波数分割多重化（ＯＦＤＭ）送信モードの場合、Ｌ−ＣＥＦシーケンスは、Ｇｖ512シーケンスと、後続のＧｕ512シーケンスとを含み、Ｇｖ128シーケンスで終了する。Ｌ−ＣＥＦシーケンスは、受信機が、フレームがその中で送られるチャネル周波数応答を推定するのを支援する。
【００２６】
[0048]Ｌ−ヘッダは、フレームに関する様々な情報を含む。そのような情報は、データ白色化の目的でＬ−ヘッダの残り及びデータペイロードに適用されるスクランブリングのためのシードを指定する、スクランブラ開始フィールドを含む。Ｌ−ヘッダはまた、フレームのデータペイロードを送信するために使用される１２個の定義された変調及びコード化方式（ＭＣＳ）のうちの１つを示すための、ＭＣＳフィールドを含む。Ｌ−ヘッダは、オクテットでデータペイロードの長さを示すための、長さフィールドを含む。Ｌ−ヘッダは、フレームの終了において随意のビームフォーミングトレーニングシーケンスの長さを示すための、トレーニング長さフィールドを更に含む。更に、Ｌ−ヘッダは、随意のビームフォーミングフィールドが送信に関係するか受信に関係するかを示すための、パケットタイプフィールドを含む。更に、Ｌ−ヘッダは、ヘッダビットにわたってＣＲＣ−３２チェックサムを示すための、ヘッダチェックサム（ＨＣＳ：header checksum）フィールドを含む。
【００２７】
[0049]再び図１を参照すると、レガシーユーザデバイス１０６は、８０２．１１ａｄデータフレーム全体を復号することが可能である。新しい規格又はプロトコル８０２．１１ａｙのために後で採用され得る、本明細書で開示される新しいフレームは、何らかの後方互換性の特徴を与える。本明細書でより詳細に説明するように、この新しいフレームは、８０２．１１ａｄのプリアンブル（Ｌ−ＳＴＦ及びＬ−ＣＥＦ）並びにＬ−ヘッダと、新しいプロトコルに関係する１つ又は複数の追加の部分とを含む。従って、レガシーユーザデバイス１０６は、新しいフレームの８０２．１１ａｄプリアンブル（Ｌ−ＳＴＦ及びＬ−ＣＥＦ）並びにＬ−ヘッダ部分を復号するように構成されるが、新しいフレームの残りの部分を復号するように構成されない。レガシーユーザデバイス１０６は、送信衝突回避の目的で新しいフレームの長さを決定するためにネットワーク割振りベクトル（ＮＡＶ）を計算するために、新しいフレームの８０２．１１ａｄプリアンブル及びヘッダ部分を復号し得る。
【００２８】
[0050]更新されたレガシーユーザデバイス１０８はまた、レガシー８０２．１１ａｄプロトコルの下で動作し、８０２．１１ａｄデータフレームを使用してアクセスポイント１０２と通信することが可能である。しかしながら、更新されたレガシーユーザデバイス１０８のフレーム処理能力は、本明細書で更に説明するように、新しいフレームのＬ−ヘッダ中で、新しいフレームの属性を示す幾つかのビットを解釈するように更新されている。レガシー８０２．１１ａｄプロトコルに従って、これらのビットは、Ｌ−ヘッダ中でデータ長の最下位ビット（ＬＳＢ）に割り振られる。しかし、新しいフレームに従って、Ｌ−ヘッダの他の方法で割り振られたビットは、新しいフレームに関連する何らかの送信モードに従って、新しいフレームの第１の部分と新しいフレームの第２の部分との間の送信電力差を示すために使用される。これらのビットは、更新されたレガシーユーザデバイスが、信号干渉管理の目的で電力差（増加）を予想することを可能にする。この例では、ＬＳＢ長さビットの割振りは上述の電力差を表すが、これらのビットは他の目的のために割り振られ得ることを理解されたい。
【００２９】
[0051]新しいプロトコルユーザデバイス１１０は、新しいデータフレームを使用してアクセスポイント１０２と通信することが可能であり、８０２．１１ａｙプロトコルのために新しいフレームのその一部又は全部の特徴が採用され得る。本明細書で更に説明するように、新しいデータフレームは、レガシー８０２．１１ａｄプリアンブル（Ｌ−ＳＴＦ及びＬ−ＣＥＦ）並びにＬ−ヘッダを含み、Ｌ−ヘッダは、新しいフレームに関連する送信モードと、前に説明したように、新しいフレームの第１の部分と新しいフレームの第２の部分との間の送信電力差とを示すようにわずかに修正される。新しいフレームのＬ−ヘッダへのこのわずかな修正は、レガシーユーザデバイス１０６と更新されたレガシーユーザデバイス１０８とによるＬ−ヘッダの復号に影響を及ぼさない。送信モードを示す、新しいフレームのＬ−ヘッダ中のビットは、標準８０２．１１ａｄレガシーヘッダ中の予約済みビットである。
【００３０】
[0052]レガシープリアンブル（Ｌ−ＳＴＦ及びＬ−ＣＥＦ）並びにＬ−ヘッダに加えて、新しいフレームは、拡張方向性マルチギガビット（ＥＤＭＧ）ヘッダを更に備える。本明細書でより詳細に説明するように、ＥＤＭＧヘッダは、新しいフレームの様々な属性を示すための複数のフィールドを備える。そのような属性は、ペイロードデータ長、ＥＤＭＧヘッダ中の低密度パリティチェック（ＬＤＰＣ：low density parity check）データブロックの数、サポートされる空間ストリームの数、結合チャネルの数、結合チャネルのうちの最左（最低周波数）チャネル、新しいフレームのデータペイロードのために使用されるＭＣＳ、フレームの様々な部分間の送信電力差及び他の情報を含む。ＥＤＭＧヘッダには、新しいフレームのデータペイロード部分（今はより一般的にＥＤＭＧデータペイロードと呼ばれる）の中にないペイロードデータが更に付加され得る。ショートメッセージの場合、ペイロードデータの全てがＥＤＭＧヘッダに付加され得、それにより、フレームに著しいオーバーヘッドを加える新しいフレームの「別個の」ＥＤＭＧデータペイロードを送信する必要が回避される。
【００３１】
[0053]新しいデータフレームは、より高いデータ変調方式と、チャネル結合と、チャネルアグリゲーションと、多入力多出力（ＭＩＭＯ）アンテナ構成を介した改善された空間送信とを採用することによってデータスループットを改善するための追加の特徴を与えるように構成される。例えば、レガシー８０２．１１ａｄプロトコルは、ＢＰＳＫ、ＱＰＳＫ及び１６ＱＡＭの利用可能な変調方式を含む。新しいプロトコルによれば、６４ＱＡＭ、６４ＡＰＳＫ、１２８ＡＰＳＫ、２５６ＱＡＭ及び２５６ＡＰＳＫなど、より高い変調方式が利用可能である。更に、データスループットを増加させるために、複数のチャネルが結合又はアグリゲートされ得る。更に、そのような結合又はアグリゲートされたチャネルは、ＭＩＭＯアンテナ構成を使用して複数の空間送信として送信され得る。
【００３２】
[0054]図２は、ワイヤレス通信システム２００の例示的なアクセスポイント２１０（概して、第１のワイヤレスノード）と例示的なアクセス端末２５０（概して、第２のワイヤレスノード）とのブロック図を示す。アクセスポイント２１０は、ダウンリンクでは送信エンティティであり、アップリンクでは受信エンティティである。アクセス端末２５０は、アップリンクでは送信エンティティであり、ダウンリンクでは受信エンティティである。本明細書で使用する「送信エンティティ」は、ワイヤレスチャネルを介してデータを送信することが可能な独立動作型の装置又はデバイスであり、「受信エンティティ」は、ワイヤレスチャネルを介してデータを受信することが可能な独立動作型の装置又はデバイスである。
【００３３】
[0055]この例では、デバイス２１０はアクセスポイントであり、デバイス２５０はアクセス端末であるが、デバイス２１０は代替的にアクセス端末であり得、デバイス２５０は代替的にアクセスポイントであり得ることを理解されたい。
【００３４】
[0056]データを送信するために、アクセスポイント２１０は、送信データプロセッサ２２０と、フレームビルダー２２２と、送信プロセッサ２２４と、複数のトランシーバ２２６−１〜２２６−Ｎと、複数のアンテナ２３０−１〜２３０−Ｎとを備える。アクセスポイント２１０はまた、アクセスポイント２１０の動作を制御するためのコントローラ２３４を備える。
【００３５】
[0057]動作中、送信データプロセッサ２２０は、データソース２１５からデータ（例えば、データビット）を受信し、送信のためにデータを処理する。例えば、送信データプロセッサ２２０は、データ（例えば、データビット）を符号化データに符号化し、符号化データをデータシンボルに変調し得る。送信データプロセッサ２２０は、異なる変調及びコード化方式（ＭＣＳ）をサポートし得る。例えば、送信データプロセッサ２２０は、複数の異なるコード化レートのうちのいずれか１つで（例えば、低密度パリティチェック（ＬＤＰＣ）符号化を使用して）データを符号化し得る。また、送信データプロセッサ２２０は、限定はしないが、ＢＰＳＫ、ＱＰＳＫ、１６ＱＡＭ、６４ＱＡＭ、６４ＡＰＳＫ、１２８ＡＰＳＫ、２５６ＱＡＭ及び２５６ＡＰＳＫを含む、複数の異なる変調方式のうちのいずれか１つを使用して符号化データを変調し得る。
【００３６】
[0058]幾つかの態様では、コントローラ２３４は、（例えば、ダウンリンクのチャネル状態に基づいて）どの変調及びコード化方式（ＭＣＳ）を使用すべきかを指定するコマンドを送信データプロセッサ２２０に送り得、送信データプロセッサ２２０は、指定されたＭＣＳに従ってデータソース２１５からのデータを符号化及び変調し得る。送信データプロセッサ２２０は、データスクランブリング及び／又は他の処理など、データに対して追加の処理を実施し得ることを諒解されたい。送信データプロセッサ２２０は、フレームビルダー２２２にデータシンボルを出力する。
【００３７】
[0059]フレームビルダー２２２は、（パケットとも呼ばれる）フレームを構成し、フレームのデータペイロードにデータシンボルを挿入する。フレームは、プリアンブルと、Ｌ−ヘッダと、データペイロードとを含み得る。プリアンブルは、アクセス端末２５０がフレームを受信するのを支援するために、ショートトレーニングフィールド（Ｌ−ＳＴＦ）シーケンスとチャネル推定フィールド（Ｌ−ＣＥＦ）とを含み得る。Ｌ−ヘッダは、データの長さ、並びにデータを符号化及び変調するために使用されるＭＣＳなど、ペイロード中のデータに関係する情報を含み得る。この情報は、アクセス端末２５０がデータを復調及び復号することを可能にする。ペイロード中のデータは複数のブロックの間で分割され得、ここにおいて、各ブロックは、データの一部分と、受信機の位相追跡を支援するためのガードインターバル（ＧＩ）とを含み得る。フレームビルダー２２２は、送信プロセッサ２２４にフレームを出力する。
【００３８】
[0060]送信プロセッサ２２４は、ダウンリンク上での送信のためにフレームを処理する。例えば、送信プロセッサ２２４は、直交周波数分割多重化（ＯＦＤＭ）送信モード及びシングルキャリア（ＳＣ）送信モードなど、異なる送信モードをサポートし得る。この例では、コントローラ２３４は、どの送信モードを使用すべきかを指定するコマンドを送信プロセッサ２２４に送り得、送信プロセッサ２２４は、指定された送信モードに従って送信のためにフレームを処理し得る。送信プロセッサ２２４は、ダウンリンク信号の周波数成分が幾つかのスペクトル要件を満たすように、フレームにスペクトルマスクを適用し得る。
【００３９】
[0061]幾つかの態様では、送信プロセッサ２２４は多出力多入力（ＭＩＭＯ）送信をサポートし得る。これらの態様では、アクセスポイント２１０は、複数のアンテナ２３０−１〜２３０−Ｎと、複数のトランシーバ２２６−１〜２２６−Ｎ（例えば、アンテナごとに１つ）とを含み得る。送信プロセッサ２２４は、着信フレームに対して空間処理を実施し、複数のアンテナに複数の送信フレームストリームを与え得る。トランシーバ２２６−１〜２２６−Ｎは、それぞれ、アンテナ２３０−１〜２３０−Ｎを介した送信のための送信信号を生成するために、それぞれの送信フレームストリームを受信及び処理（例えば、アナログに変換、増幅、フィルタ処理及び周波数アップコンバート）する。
【００４０】
[0062]データを送信するために、アクセス端末２５０は、送信データプロセッサ２６０と、フレームビルダー２６２と、送信プロセッサ２６４と、トランシーバ２６６と、１つ又は複数のアンテナ２７０（簡単のために１つのアンテナが示されている）とを備える。アクセス端末２５０は、アップリンク上でアクセスポイント２１０にデータを送信し、及び／又は（例えば、ピアツーピア通信のために）別のアクセス端末にデータを送信し得る。アクセス端末２５０はまた、アクセス端末２５０の動作を制御するためのコントローラ２７４を備える。
【００４１】
[0063]動作中、送信データプロセッサ２６０は、データソース２５５からデータ（例えば、データビット）を受信し、送信のためにデータを処理（例えば、符号化及び変調）する。送信データプロセッサ２６０は様々なＭＣＳをサポートし得る。例えば、送信データプロセッサ２６０は、複数の異なるコード化レートのうちのいずれか１つで（例えば、ＬＤＰＣ符号化を使用して）データを符号化し、限定はしないが、ＢＰＳＫ、ＱＰＳＫ、１６ＱＡＭ、６４ＱＡＭ、６４ＡＰＳＫ、１２８ＡＰＳＫ、２５６ＱＡＭ及び２５６ＡＰＳＫを含む、複数の異なる変調方式のうちのいずれか１つを使用して符号化データを変調し得る。幾つかの態様では、コントローラ２７４は、（例えば、アップリンクのチャネル状態に基づいて）どのＭＣＳを使用すべきかを指定するコマンドを送信データプロセッサ２６０に送り得、送信データプロセッサ２６０は、指定されたＭＣＳに従ってデータソース２５５からのデータを符号化及び変調し得る。送信データプロセッサ２６０はデータに対して追加の処理を実施し得ることを諒解されたい。送信データプロセッサ２６０は、フレームビルダー２６２にデータシンボルを出力する。
【００４２】
[0064]フレームビルダー２６２は、フレームを構成し、フレームのデータペイロードに受信データシンボルを挿入する。フレームは、プリアンブルと、ヘッダと、データペイロードとを含み得る。プリアンブルは、アクセスポイント２１０及び／又は他のアクセス端末がフレームを受信するのを支援するために、Ｌ−ＳＴＦシーケンスとＬ−ＣＥＦシーケンスとを含み得る。ヘッダは、データの長さ、並びにデータを符号化及び変調するために使用されるＭＣＳなど、ペイロード中のデータに関係する情報を含み得る。ペイロード中のデータは複数のブロックの間で分割され得、ここで、各ブロックは、データの一部分と、アクセスポイント及び／又は他のアクセス端末の位相追跡を支援するガードインターバル（ＧＩ）とを含み得る。フレームビルダー２６２は、送信プロセッサ２６４にフレームを出力する。
【００４３】
[0065]送信プロセッサ２６４は、送信のためにフレームを処理する。例えば、送信プロセッサ２６４は、ＯＦＤＭ送信モード及びＳＣ送信モードなど、異なる送信モードをサポートし得る。この例では、コントローラ２７４は、どの送信モードを使用すべきかを指定するコマンドを送信プロセッサ２６４に送り得、送信プロセッサ２６４は、指定された送信モードに従って送信のためにフレームを処理し得る。送信プロセッサ２６４は、アップリンク信号の周波数成分が幾つかのスペクトル要件を満たすように、フレームにスペクトルマスクを適用し得る。
【００４４】
[0066]トランシーバ２６６は、１つ又は複数のアンテナ２７０を介した送信のために送信プロセッサ２６４の出力を受信及び処理（例えば、アナログに変換、増幅、フィルタ処理、及び周波数アップコンバート）する。例えば、トランシーバ２６６は、送信プロセッサ２６４の出力を、６０ＧＨｚ範囲内の周波数を有する送信信号にアップコンバートし得る。
【００４５】
[0067]幾つかの態様では、送信プロセッサ２６４は多出力多入力（ＭＩＭＯ）送信をサポートし得る。これらの態様では、アクセス端末２５０は、複数のアンテナと、複数のトランシーバ（例えば、アンテナごとに１つ）とを含み得る。送信プロセッサ２６４は、着信フレームに対して空間処理を実施し、複数のアンテナに複数の送信フレームストリームを与え得る。トランシーバは、アンテナを介した送信のための送信信号を生成するために、それぞれの送信フレームストリームを受信及び処理（例えば、アナログに変換、増幅、フィルタ処理、及び周波数アップコンバート）する。
【００４６】
[0068]データを受信するために、アクセスポイント２１０は、受信プロセッサ２４２と受信データプロセッサ２４４とを備える。動作中、トランシーバ２２６−１〜２２６−Ｎは、（例えば、アクセス端末２５０から）信号を受信し、受信された信号を空間処理（例えば、周波数ダウンコンバート、増幅、フィルタ処理及びデジタルに変換）する。
【００４７】
[0069]受信プロセッサ２４２は、トランシーバ２２６−１〜２２６−Ｎの出力を受信し、データシンボルを復元するために出力を処理する。例えば、アクセスポイント２１０は、フレーム中で（例えば、アクセス端末２５０から）データを受信し得る。この例では、受信プロセッサ２４２は、フレームのプリアンブル中のＬ−ＳＴＦシーケンスを使用してフレームの開始を検出し得る。受信プロセッサ２４２はまた、自動利得制御（ＡＧＣ）調整のためにＬ−ＳＴＦを使用し得る。受信プロセッサ２４２はまた、（例えば、フレームのプリアンブル中のＬ−ＣＥＦシーケンスを使用して）チャネル推定を実施し、チャネル推定に基づいて受信信号に対してチャネル等化を実施し得る。
【００４８】
[0070]更に、受信プロセッサ２４２は、ペイロード中のガードインターバル（ＧＩ）を使用して位相雑音を推定し、推定された位相雑音に基づいて受信信号中の位相雑音を低減し得る。位相雑音は、周波数変換のために使用される、アクセス端末２５０における局部発振器からの雑音、及び／又はアクセスポイント２１０における局部発振器からの雑音に起因し得る。位相雑音はチャネルからの雑音をも含み得る。受信プロセッサ２４２はまた、フレームのヘッダから情報（例えば、ＭＣＳ方式）を復元し、コントローラ２３４にその情報を送り得る。チャネル等化及び／又は位相雑音低減を実施した後に、受信プロセッサ２４２は、フレームからデータシンボルを復元し、更なる処理のために受信データプロセッサ２４４に復元されたデータシンボルを出力し得る。
【００４９】
[0071]受信データプロセッサ２４４は、受信プロセッサ２４２からデータシンボルを受信し、コントローラ２３４から対応するＭＳＣ方式の指示を受信する。受信データプロセッサ２４４は、示されたＭＳＣ方式に従ってデータを復元するために、データシンボルを復調及び復号し、記憶及び／又は更なる処理のためにデータシンク２４６に復元されたデータ（例えば、データビット）を出力する。
【００５０】
[0072]上記で説明したように、アクセス端末２５０は、ＯＦＤＭ送信モード又はＳＣ送信モードを使用してデータを送信し得る。この場合、受信プロセッサ２４２は、選択された送信モードに従って受信信号を処理し得る。また、上記で説明したように、送信プロセッサ２６４は多出力多入力（ＭＩＭＯ）送信をサポートし得る。この場合、アクセスポイント２１０は、複数のアンテナ２３０−１〜２３０−Ｎと、複数のトランシーバ２２６−１〜２２６−Ｎ（例えば、アンテナごとに１つ）とを含む。各トランシーバは、それぞれのアンテナからの信号を受信及び処理（例えば、周波数ダウンコンバート、増幅、フィルタ処理、及びデジタルに変換）する。受信プロセッサ２４２は、データシンボルを復元するために、トランシーバ２２６−１〜２２６−Ｎの出力に対して空間処理を実施し得る。
【００５１】
[0073]データを受信するために、アクセス端末２５０は、受信プロセッサ２８２と受信データプロセッサ２８４とを備える。動作中、トランシーバ２６６は、（例えば、アクセスポイント２１０又は別のアクセス端末から）信号を受信し、受信された信号を処理（例えば、周波数ダウンコンバート、増幅、フィルタ処理及びデジタルに変換）する。
【００５２】
[0074]受信プロセッサ２８２は、トランシーバ２６６の出力を受信し、データシンボルを復元するために出力を処理する。例えば、アクセス端末２５０は、上記で説明したように、フレーム中で（例えば、アクセスポイント２１０又は別のアクセス端末から）データを受信し得る。この例では、受信プロセッサ２８２は、フレームのプリアンブル中のＬ−ＳＴＦシーケンスを使用してフレームの開始を検出し得る。受信プロセッサ２８２はまた、（例えば、フレームのプリアンブル中のＬ−ＣＥＦシーケンスを使用して）チャネル推定を実施し、チャネル推定に基づいて受信信号に対してチャネル等化を実施し得る。
【００５３】
[0075]更に、受信プロセッサ２８２は、ペイロード中のガードインターバル（ＧＩ）を使用して位相雑音を推定し、推定された位相雑音に基づいて受信信号中の位相雑音を低減し得る。受信プロセッサ２８２はまた、フレームのヘッダから情報（例えば、ＭＣＳ方式）を復元し、コントローラ２７４にその情報を送り得る。チャネル等化及び／又は位相雑音低減を実施した後に、受信プロセッサ２８２は、フレームからデータシンボルを復元し、更なる処理のために受信データプロセッサ２８４に復元されたデータシンボルを出力し得る。
【００５４】
[0076]受信データプロセッサ２８４は、受信プロセッサ２８２からデータシンボルを受信し、コントローラ２７４から対応するＭＳＣ方式の指示を受信する。受信機データプロセッサ２８４は、示されたＭＳＣ方式に従ってデータを復元するために、データシンボルを復調及び復号し、記憶及び／又は更なる処理のためにデータシンク２８６に復元されたデータ（例えば、データビット）を出力する。
【００５５】
[0077]上記で説明したように、アクセスポイント２１０又は別のアクセス端末は、ＯＦＤＭ送信モード又はＳＣ送信モードを使用してデータを送信し得る。この場合、受信プロセッサ２８２は、選択された送信モードに従って受信信号を処理し得る。また、上記で説明したように、送信プロセッサ２２４は多出力多入力（ＭＩＭＯ）送信をサポートし得る。この場合、アクセス端末２５０は、複数のアンテナと、複数のトランシーバ（例えば、アンテナごとに１つ）とを含み得る。各トランシーバは、それぞれのアンテナからの信号を受信及び処理（例えば、周波数ダウンコンバート、増幅、フィルタ処理、デジタルに変換）する。受信プロセッサ２８２は、データシンボルを復元するために、トランシーバの出力に対して空間処理を実施し得る。
【００５６】
[0078]図２に示されているように、アクセスポイント２１０は、コントローラ２３４に結合されたメモリ２３６をも備える。メモリ２３６は、コントローラ２３４によって実行されたとき、本明細書で説明する動作のうちの１つ又は複数をコントローラ２３４に実行させる命令を記憶し得る。同様に、アクセス端末２５０は、コントローラ２７４に結合されたメモリ２７６をも備える。メモリ２７６は、コントローラ２７４によって実行されたとき、本明細書で説明される動作のうちの１つ又は複数をコントローラ２７４に実行させる命令を記憶し得る。
【００５７】
拡張フレームに共通のフレームフォーマット
[0079]図３Ａは、本開示の別の態様による例示的なフレーム又はフレーム部分３００を示す。本明細書で説明するように、提案されるフレームフォーマットの全ては、Ｌ−ＳＴＦ＋Ｌ−ＣＥＦ＋Ｌ−ヘッダというレガシーフィールドを含む。レガシーフィールドの後に、送信は、新しい８０２．１１ａｙプロトコル又はフォーマットの一部である様々なフィールドを含む。新しいプロトコルに従って、直交周波数分割多重化（ＯＦＤＭ）、シングルキャリア広帯域（ＳＣ  ＷＢ）、シングルキャリア（ＳＣ）アグリゲートという、幾つかの送信オプションが使用され得、各々は様々なオプション及びフォーマットを有する。全ての上述の８０２．１１ａｙオプションは、随意のデータとともにＥＤＭＧヘッダを含む。
【００５８】
[0080]本明細書ではＬ−プレフィックスで示されるレガシーフィールドは、８０２．１１ａｄ、更新された８０２．１１ａｄ及び８０２．１１ａｙプロトコルの下で動作するデバイスによって復号可能である。本明細書ではＥＤＭＧプレフィックスで示される、８０２．１１ａｙフィールドなどの非レガシーフィールドは、８０２．１１ａｙプロトコルの下で動作するデバイスによって復号可能であるが、８０２．１１ａｄプロトコルの下で動作するデバイスによって復号可能でない。
【００５９】
[0081]図示のように、新しいフレーム又はフレーム部分３００によれば、Ｌ−ＳＴＦは実質的に１．１６マイクロ秒（μｓ）の持続時間を有し得、Ｌ−ＣＥＦは実質的に０．７３μｓの持続時間を有し得、Ｌ−ヘッダは実質的に０．５８μｓの持続時間を有し得、ＥＤＭＧヘッダは実質的に０．２９μｓ又はそれの整数Ｋ倍の持続時間を有し得る。フレーム３００がフルフレームである（フレーム部分ではない）場合、フレーム３００は、シングルチャネルを介して送信され得、ＥＤＭＧヘッダ中にデータペイロードを含み得る。そのような構成は、送信のためにオーバーヘッドを消費し得る、新しいフレームフォーマットによる別個のデータペイロードが不要であるので、ショートメッセージでは有用であり得る。
【００６０】
[0082]Ｌ−ヘッダは様々なパラメータを指定し、それは、範囲内にある全ての局（ユーザデバイス及びアクセスポイント）によって復号される。これらの局は、それらがメッセージを受信するのを待っているとき又は送信より前にリッスンする。Ｌ−ヘッダは、レガシーデータ送信において使用される変調コード化方式（ＭＣＳ）と、送信されるデータの量とを指定する。局は、これらの２つの値を使用して、ネットワーク割振りベクトル（ＮＡＶ）を更新するために持続時間長さを計算する。これは、局がデータ自体を復号することができない場合でも、又は局がメッセージの目的とする受信機でない場合でも、媒体が送信機によって使用されることになることを局が知ることを可能にする機構である。ＮＡＶの使用は、送信信号の衝突を回避するための機構のうちの１つである。
【００６１】
[0083]（データのための）レガシー８０２．１１ａｄフレームフォーマットでは、データは、サイズがコードレートに従う低密度パリティチェック（ＬＤＰＣ）ブロックに入れられ、次いで、固定長（６７２ビット）に符号化される。その結果は連結され、次いで、選択されたＭＣＳ（主に変調）に従って高速フーリエ変換（ＦＦＴ）ブロックに分けられる。受信機において、このプロセスは反転される。低いデータＭＣＳでは、１つのＬＤＰＣブロックは１つ又は複数のＦＦＴブロックを必要とし得るが、高いデータＭＣＳでは、１つのＦＦＴブロックは２つ以上のＬＤＰＣブロックをホストし得ることに留意されたい。この説明は、本明細書で更に詳細に説明するように、ＥＤＭＧヘッダの直後にＬＤＰＣデータを配置することに関係する。
【００６２】
[0084]図３Ｂは、本開示の幾つかの態様によるフレーム又はフレーム部分３００の例示的なＥＤＭＧヘッダ３５０を示す。ＥＤＭＧヘッダ３５０は、送信フレームを受信し復号することが可能になるために受信機によって使用される送信フレームパラメータ（ＭＣＳ、データ長、モードなど）を指定する。（宛先局でない）他の局がＥＤＭＧヘッダ３５０を復調する必要はない。従って、ＥＤＭＧヘッダ３５０及び随意の付属データは、宛先局に好適な高いＭＣＳで送信され得る。
【００６３】
[0085]ＥＤＭＧヘッダ３５０は、（１）ペイロードデータがＥＤＭＧヘッダに付加されるか、又は別個のペイロード部分の中にあるかにかかわらず、全ての並行チャネル（concurrent channels）においてオクテットで新しいプロトコル８０２．１１ａｙペイロードデータの長さを指定するための２４ビットを含むペイロードデータ長フィールドと、（２）ＥＤＭＧヘッダ及びデータ中のＬＤＰＣデータブロックの数を指定するための１０ビットを含むＬＤＰＣブロックのＥＤＭＧヘッダ数フィールドと、この値がゼロ（０）であるとき、それは、ＥＤＭＧヘッダ中に１つのＬＤＰＣデータブロックがあることを意味する、（３）送信される空間ストリームの数（例えば、１〜１６）を表すための４ビットを含む空間ストリームフィールドと、（４）結合チャネル（例えば、１〜８つの８０２．１１ａｄチャネル、並びに８０２．１１ａｄにおいて利用不可能な追加のチャネル）の数を指定するための３ビットを含むチャネルフィールドと、（５）結合チャネルのうちの第１のチャネルのオフセットを指定するための３ビットを含むチャネルオフセットフィールドとを備える。この例では、第１のチャネルは、結合チャネルのうちの最左（最低周波数）チャネルである。この値は、第１のチャネルが全ての利用可能なチャネルのうちの最低周波数チャネルであるとき、又はただ１つのチャネルが使用されるとき（即ち、チャネル結合なし）、ゼロ（０）に設定される。
【００６４】
[0086]ＥＤＭＧヘッダ３５０は、（６）ＥＤＭＧ（別名、ＮＧ６０及び８０２．１１ａｙ）ペイロード送信において使用されるＭＣＳを指定するための６ビットを含む１１ａｙ  ＭＣＳフィールドと、ＥＤＭＧヘッダに付随されるショートデータはレガシー８０２．１１ａｄ  ＭＣＳを使用することに留意されたく、８０２．１１ａｙ  ＭＣＳは、６４ＱＡＭ、６４ＡＰＳＫ、２５６ＱＡＭ及び２５６ＡＰＳＫなどの８０２．１１ａｄに利用可能なものを超えるより高いスループット変調方式を含み得、（７）ショート又はロングＧＩを示すための１ビットを含むＧＩ（ガードインターバル）モードフィールドと、実際の値は、結合チャネルの数などのパラメータに依存し得ることに留意されたく、（８）ショート又はロングＦＦＴブロックを示すための１ビットを含むＦＦＴモードフィールドと、実際の値は、結合チャネルの数などのパラメータに依存し得ることに留意されたく、（９）ショート又はロングＬＤＰＣブロックを示すための１ビットを含むＬＤＰＣモードフィールドとを更に備える。
【００６５】
[0087]ＥＤＭＧヘッダ３５０は、（１０）新しいフレームのレガシー部分及びＥＤＭＧヘッダ（例えば、Ｌ−ＳＴＦ＋Ｌ−ＣＥＦ＋Ｌ−ヘッダ＋ＥＤＭＧヘッダ／データ）のアグリゲートされた電力と、ＥＤＭＧ部分（随意のＥＤＭＧ  ＳＴＦ＋随意のＥＤＭＧ  ＣＥＦ＋ＥＤＭＧペイロード）のＳＣ  ＷＢモード送信との間の平均電力の差を信号伝達するための４ビットを含む電力差フィールドを更に備える。この差はベンダー固有であり得る。幾つかの送信機は、ＰＡ非線形性により、アグリゲートされたセクションとＷＢセクションとの間の電力バックオフを必要とし得る。この値は、ＡＧＣセットアップを支援するために予想される電力差に関して受信機に通知する。値はｄＢ（例えば、００００：０ｄＢ、０１００：４ｄＢ、１１１１：１５ｄＢ以上）でコード化される。
【００６６】
[0088]ＥＤＭＧヘッダ３５０は、（１１）予約済みビット、即ち、この時点で予約されている２３ビットと、送信機は、この時点でそれらを０に設定すべきであり、将来、これらのビットは様々な必要性に割り振られ得る、（１２）プロプライエタリビット、即ち、ベンダーによって使用され得、インターオペラビリティを必要としない８スペアビットと、受信機は、これらのビットが何であるかを知っていなければ、それらを廃棄すべきであり、（１３）ＥＤＭＧヘッダを伝えるための１６ビットを含むＣＲＣフィールドとを更に備える。このフィールドは、受信されたＥＤＭＧヘッダの正当性を検証するために受信機によって使用されることになる。（ＣＲＣを除く）全てのビットがＣＲＣを計算するために使用されなければならない。
【００６７】
[0089]ＥＤＭＧヘッダ３５０は、厳密に同じコンテンツとともに各並行して送信されるチャネル上で送られ得る。この複製は、正しい検出確率を高めるために受信機によって使用され得る。受信機は異なるアルゴリズムを使用し得る。即ち、オプション１：受信機はただ１つのチャネル（シンプルだが最も低い性能）を復号する。オプション２：受信機はそのときにただ１つのチャネルを復号する。ＣＲＣが合格した場合は、受信機が追加のチャネルについてＣＲＣ処理を試みていない場合、受信機は追加のチャネルについてＣＲＣ処理を中止し得る。オプション２は、オプション１よりも性能が良好であり得るが、直列処理を要する。そしてオプション３：受信機は、全てのチャネルを復号し、訂正されたＣＲＣを有するチャネルを選択する。オプション３はオプション２と同じ性能を有し得るが、より高速である。
【００６８】
ＥＤＭＧヘッダに添付されるデータ
[0090]新しいプロトコルＮＧ６０（８０２．１１ａｙ）による受信機は、実際的態様から、随意のＥＤＭＧ  ＳＴＦと、随意のＥＤＭＧ  ＣＥＦと、ＥＤＭＧデータペイロードとのためのサンプルが受信され得る前に、ＥＤＭＧヘッダを復号する必要がある。理由は、受信機が幾つかの調整を実施する必要があり得るからである。例えば、ＳＣ  ＷＢ送信モードでは、随意のＥＤＭＧ  ＳＴＦがシングルキャリア広帯域（ＳＣ  ＷＢ）モードで送信され、受信機フロントエンドは新しいフィルタと他のパラメータとで再構成される必要がある。８０２．１１ａｙ変調の使用は、（例えば、随意のＥＤＭＧ  ＳＴＦ及び／又は随意のＥＤＭＧ  ＣＥＦを処理するために）場合によっては多少のオーバーヘッドが使用される必要がある。このオーバーヘッドは、特にショートメッセージにおいて効率を低減する。
【００６９】
[0091]上記の効率的なサポートは、（１）データを送信し始めるためにＥＤＭＧヘッダに続いて「予備」期間を使用することと、（２）（随意のＥＤＭＧ  ＳＴＦ及び／又はＥＤＭＧ  ＣＥＦを含めて）変調が１１ａｙセットに変更される前に、ＥＤＭＧヘッダに続くデータを少なくとも２つのＬＤＰＣブロックと２つのＦＦＴブロックとに拡張することと、ショートペイロードの効率を改善するために場合によっては、ＥＤＭＧヘッダに続くデータを、（上記で指定された）最小値を超えて拡張することとを行うことを示唆するように我々を導く。
【００７０】
[0092]ＥＤＭＧヘッダは、Ｌ−ヘッダにおいて指定されたレガシー８０２．１１ａｄ  ＭＣＳを使用して、いずれかの送信のために使用される各６０ＧＨｚチャネル上で送られ得る。ＥＤＭＧヘッダの後にデータが続き得る（データが送られるべき場合）。ＥＤＭＧヘッダに続くデータは、全ての使用されるチャネルにわたって分けられ（split）得る。
【００７１】
[0093]送信において８０２．１１ａｙ変調が使用される場合、ＥＤＭＧヘッダ及び付属データは、少なくとも２つのＦＦＴブロックと少なくとも２つのＬＤＰＣブロックとを占有すべきである（全てこれはレガシーＭＣＳを使用している）。全てのＬＤＰＣブロックはＥＤＭＧヘッダ中に完全に投入され(populated)得る。送信機は、この部分をより多くのＬＤＰＣブロックに、最高１０２４個のブロックに拡張し得る（チャネルごとに、全てのチャネルは同じレガシーＭＣＳを使用する）。ＥＤＭＧヘッダに添付されるデータの長さは、チャネルの数と、ＬＤＰＣブロックごとのビット量とで乗算された、（チャネルごとにＥＤＭＧヘッダ中のＬＤＰＣブロックのＥＤＭＧヘッダ数フィールドにおいて指定される）ＬＤＰＣブロックの数に従う。ＥＤＭＧデータペイロードフィールド中のデータの長さは、ＥＤＭＧヘッダにおいて指定された長さに従うデータの残りである。
【００７２】
[0094]送信において（例えば、ショートメッセージ適用例において）８０２．１１ａｙ変調が使用されない場合、ＥＤＭＧヘッダ及び付属データ（データが送られるべき場合）は、少なくとも１つのＦＦＴブロックと少なくとも１つのＬＤＰＣブロックとを占有すべきである（全てこれはレガシーＭＣＳを使用している）。データは、最も低いチャネルインデックスから開始するＬＤＰＣブロックを埋めるべきである（例えば、最低周波数チャネルのＬＤＰＣブロックが最初に埋められ、次いで、２番目に最も低い周波数チャネルのＬＤＰＣブロックが埋められる、など）。ＥＤＭＧヘッダにおいて指定される長さは、８０２．１１ａｙ変調が使用されないとき、ＥＤＭＧヘッダに続いて送信される実際のデータを指す。
【００７３】
[0095]送信機は、（ＥＤＭＧの随意のセクションＳＴＦ及びＣＥＦオーバーヘッドを回避して）ショートパケットの送信を最適化するためにより多い数のＬＤＰＣブロックを選択し得る。受信機は、８０２．１１ａｙセクションが果たしてあるかどうかを推論し、yesの場合、ＥＤＭＧデータペイロードセクション中のみの正確なデータ量を計算するために、これらのＬＤＰＣブロックからのデータ長をＥＤＭＧヘッダ中のデータ長と比較すべきである。ＥＤＭＧヘッダ及びデータを含むＬＤＰＣブロックは、８０２．１１ａｙデータペイロードが存在する場合、データで完全に投入されることに留意されたい。
【００７４】
[0096]ＦＦＴブロック及びＬＤＰＣブロックはチャネルごとにある。ＥＤＭＧヘッダに続くペイロードデータは、バイトごとにラウンドロビン様式で最も低いチャネルから一様に開始してチャネル間で分けられる。データが、ＥＤＭＧヘッダに添付される部分中に閉じ込められ得ない場合、この部分は、データがＥＤＭＧデータペイロードセクションを介して送られる前に完全に埋められることになる。ＥＤＭＧヘッダ中のデータ長は、それらが位置する場所に関係なく、実際のオクテット数を指定する。
【００７５】
[0097]以下で、２つのＬＤＰＣブロック又は２つのＦＦＴブロックのためのＥＤＭＧヘッダに添付されたデータセクション中で利用可能なデータの量に関する数個の非限定的な例を与える。
【００７６】
[0098]事例１：１つのチャネル及びレガシーＭＣＳ−１（これは最少データの場合である）。ＭＣＳ−１では、２つのＬＤＰＣブロックが使用され得る。これらの２つのブロックは３３６ビットを受け入れ（host）、送信されるべき３つのＦＦＴブロックを取り込む(take)ことになる。この例では、ＥＤＭＧヘッダ中の情報フィールドは１０４ビットを占有する。従って、ＥＤＭＧヘッダに添付されたペイロードデータは２３２ビット（２９バイト）である（即ち、３３６ビット−１０４ビット）。
【００７７】
[0099]事例２：４つのチャネル及びレガシーＭＣＳ−１２（これは最も多いデータの事例である）。ＭＣＳ−１２では、２つのＦＦＴブロックは、５つのＬＤＰＣブロックを受け入れることができるチャネルごとに３５８４個のコード化ビットを受け入れる。このコードレートにおいて、５つのＬＤＰＣブロック中に２５２０ビットがあり、それのうち、１０４フィールドビットは拡張ヘッダのために使用される。これは、チャネルごとにＥＤＭＧヘッダ中にペイロードデータのために２４１６ビットを残す。従って、この事例では、合計で１２１４ペイロードバイトのデータが４つのチャネルのＥＤＭＧヘッダを介して送信され得る。
【００７８】
[00100]事例３：２つのチャネル及びレガシーＭＣＳ−８（中間のデータ量の事例）。ＭＣＳ−８では、２つのＦＦＴブロックは、２つのＬＤＰＣブロックを保持することができるチャネルごとに１７９２個のコード化ビットを受け入れる。この２つのＬＤＰＣブロック中には、１００８ビットがあり、それのうち、１０４ビットはＥＤＭＧヘッダの情報フィールドに専用である。これは、各チャネルのＥＤＭＧヘッダ中にペイロードデータのために合計９０４ビットを残す。この２チャネルの事例では、ＥＤＭＧヘッダ中の合計２２８バイトのペイロードデータが送信され得る。
【００７９】
送信モードを示すためのＬ−ヘッダ変更
[00101]８０２．１１ａｄヘッダ中の予約済みビットであるビット４４〜４６は、８０２．１１ａｙの新しいプロトコルの送信モードを信号伝達するために、新しいプロトコル８０２．１１ａｙフレームのＬ−ヘッダ部分において使用され得る。例えば、Ｌ−ヘッダは、３ビットを全て０以外の何らかの値に設定することによって、これを８０２．１１ａｙモードとして示す。ビット値及び対応するモードの例が以下の表に示されている。
【表１】
2018526882.tif 000003
【００８０】
Ｌ−ＣＥＦとＣＥＦ−ＧＦとが同時に送信されるＯＦＤＭのためのフレームフォーマット
[00102]図４Ａ〜図４Ｄは、本開示の一態様による、直交周波数分割多重化（ＯＦＤＭ）送信モードを介した送信のための例示的なフレーム４００、４２０、４４０及び４６０を示す。ＯＦＤＭフレームフォーマットは、後方準拠（backwards compliant）であるために、レガシー８０２．１１ａｄプリアンブル（Ｌ−ＳＴＦ及びＬ−ＣＥＦ）とＬ−ヘッダとをプレフィックスとして維持するように構成される。更に、ＯＦＤＭフレームは、レガシープリアンブル自体に適用される必要がある、ピーク対平均電力比（ＰＡＲＰ）を低減するための何らかのバックオフを用いて送信され得る。フレーム図の全てにおいて、垂直又はｙ軸は周波数を表し、水平又はｘ軸は時間を表す。
【００８１】
[00103]より詳細には、図４Ａを参照すると、フレーム４００は、Ｌ−ＳＴＦと、Ｌ−ＣＥＦと、Ｌ−ヘッダと、随意の付属データをもつＥＤＭＧヘッダと、ＥＤＭＧデータペイロードとを含む、シングルチャネルＯＦＤＭフレームの一例である。シングルチャネルの帯域幅は、実質的に１．７６ＧＨｚであり得る。前に説明したように、Ｌ−ＳＴＦと、Ｌ−ＣＥＦと、Ｌ−ヘッダと、随意の付属データをもつＥＤＭＧヘッダとの持続時間又は長さは、０．５８μｓの整数Ｋ倍など、実質的に１．１６μｓ、０．７３μｓ、０．５８μｓ及び≧０．５８μｓであり得る。図示のように、Ｌ−ＳＴＦ、Ｌ−ＣＥＦ、Ｌ−ヘッダ、ＥＤＭＧヘッダ及びＥＤＭＧデータペイロードは、フレーム部分の各々間の時間ギャップなしにそのような順序で送信され得る。
【００８２】
[00104]図４Ｂを参照すると、フレーム４２０は、新しいプロトコル（８０２．１１ａｙ）による２結合チャネルＯＦＤＭフレームの一例である。フレーム４２０は、レガシープリアンブル（Ｌ−ＳＴＦ及びＬ−ＣＥＦ）と、Ｌ−ヘッダと、随意の付属データをもつＥＤＭＧヘッダとを送信するための第１の（より低い周波数）チャネル（図示のような上側チャネル）を備える。第１のチャネルは、実質的に１．７６ＧＨｚの帯域幅を有し得る。フレーム４２０は、レガシープリアンブル（Ｌ−ＳＴＦ及びＬ−ＣＥＦ）と、Ｌ−ヘッダと、ＥＤＭＧヘッダとを送信するための第２の（より高い周波数）チャネル（図示のような下側チャネル）を更に備える。第１及び第２のチャネルにおけるＬ−ＳＴＦ、Ｌ−ＣＥＦ及びＬ−ヘッダの送信は８０２．１１ａｄ後方互換性のためである。第１のチャネルのためのＥＤＭＧヘッダに添付されたデータは、第２のチャネルのＥＤＭＧヘッダに添付されたデータとは異なり得る。第２のチャネルも、実質的に１．７６ＧＨｚの帯域幅を有する。第１のチャネルは、第２のチャネルの周波数帯域から周波数が離間された周波数帯域を含む。
【００８３】
[00105]更に、フレーム４２０は、第１のチャネルの第１の周波数帯域と第２のチャネルの第２の周波数帯域との間の周波数内にある周波数帯域を有するギャップ充填（ＧＦ：gap filling）チャネルを備える。ＧＦチャネルは、実質的に４４０ＭＨｚ（０．４４ＧＨｚ）の帯域幅を有し得る。送信のための総帯域幅が３．９２ＧＨｚであるので、第１のチャネルの高い周波数部分は、２０ＭＨｚだけＧＦチャネルの低い周波数部分と重複し得る。同様に、ＧＦチャネルの高い周波数部分は、２０ＭＨｚだけ第２のチャネルの低い周波数部分と重複し得る。しかしながら、以下でより詳細に説明するように、第１のチャネルとＧＦチャネルとの間の、及び第２のチャネルとＧＦチャネルとの間の重複を実質的に最小限に抑えるために、ＧＦチャネルのチャネル推定フィールド部分はフィルタ処理によって狭くされ得る。
【００８４】
[00106]ＧＦチャネルは、ショートトレーニングフィールド（ＳＴＦ−ＧＦ）と、チャネル推定フィールド（ＣＥＦ−ＧＦ）と、随意のヘッダ（ヘッダ−ＧＦ）とを備える。第１のチャネルのＬ−ＳＴＦと、ＧＦチャネルのＳＴＦ−ＧＦと、第２のチャネルのＬ−ＳＴＦとは、実質的に時間整合された様式で送信される。即ち、第１のチャネルＬ−ＳＴＦ、ＳＴＦ−ＧＦ及び第２のチャネルＬ−ＳＴＦは、実質的に同じ長さ又は持続時間を有し得、それらは実質的に同じ時間に送信される。言い換えれば、第１のチャネルＬ−ＳＴＦと、ＳＴＦ−ＧＦと、第２のチャネルＬ−ＳＴＦとの開始及び終了の送信は、実質的に時間整合される。ＳＴＦ−ＧＦはまた、ゴレイシーケンスに基づき得、また、第１及び第２のチャネルＬ−ＳＴＦのゴレイシーケンスと実質的に同じ又は同様に構成され得る。第１及び第２のチャネルのＬ−ＳＴＦと、ＧＦチャネルのＳＴＦ−ＧＦとは、ＡＧＣ（電力）調整及び／又は他の目的のために受信機によってまとめて使用され得る。
【００８５】
[00107]同様に、第１のチャネルのＬ−ＣＥＦと、ＧＦチャネルのＣＥＦ−ＧＦと、第２のチャネルのＬ−ＣＥＦとは、実質的に時間整合された様式で送信される。即ち、第１のチャネルＬ−ＣＥＦ、ＣＥＦ−ＧＦ及び第２のチャネルＬ−ＣＥＦは、実質的に同じ長さ又は持続時間を有し得、それらは実質的に同じ時間に送信される。言い換えれば、第１のチャネルＬ−ＣＥＦと、ＣＥＦ−ＧＦと、第２のチャネルＬ−ＣＥＦとの開始及び終了の送信は、実質的に時間整合される。
【００８６】
[00108]ＣＥＦ−ＧＦもゴレイシーケンスに基づき得る。シーケンスはまた、８０２．１１ａｄに従ってＬ−ＣＥＦにおいて行われるように、ＢＰＳＫ変調を使用して変調され得る。ゴレイシーケンスに基づいてＣＥＦ−ＧＦを実装するために３つのオプションがあり得る。第１のオプションは、ＣＥＦ−ＧＦがゴレイシーケンスに基づき、ゴレイシーケンスの各々が３２個のシンボルの長さを有することである。例えば、シーケンスは、以下に再掲された８０２．１１ａｄ規格、表２１〜２８において定義されているシーケンスと同じであり得る。
【表２】
2018526882.tif 000004
【００８７】
[00109]第２のオプションは、ＣＥＦ−ＧＦがゴレイシーケンスに基づき、ゴレイシーケンスの各々が２０個のシンボルの長さを有することである。長さ２０のゴレイシーケンスを構築するために様々なオプションがある。例えば、長さ２０のゴレイシーケンスは、長さ１０の以下のシードから構築され得る。
シード「ａ」：［＋１＋１−１＋１−１＋１−１−１＋１＋１］及びシード「ｂ」：［＋１＋１−１＋１＋１＋１＋１＋１−１−１］、又は
シード「ａ」：［＋１＋１＋１＋１＋１−１＋１−１−１＋１］及びシード「ｂ」：［＋１＋１−１−１＋１＋１＋１−１＋１−１］
シードは、［ａ，ｂ］又は［ａ，−ｂ］構成を使用して長さ２０のゴレイシーケンスに変えられ得る。代替的に、ゴレイシーケンスは、次のように長さ２０のゴレイシーケンスに基づき得る。
ゴレイ２０：［＋１＋１＋１＋１−１＋１−１−１−１＋１＋１−１−１＋１＋１−１＋１−１−１＋１］、又は
ゴレイ２０：［＋１＋１＋１＋１−１＋１＋１＋１＋１＋１−１−１−１＋１−１＋１−１＋１＋１−１］
【００８８】
[00110]第３のオプションは、ＣＥＦ−ＧＦがゴレイシーケンスに基づき、ゴレイシーケンスの各々が２６個のシンボルの長さを有することである。例えば、以下は、長さ２６のゴレイシーケンスの一例であり得る。
ゴレイ２６：［＋１＋１＋１＋１−１＋１＋１−１−１＋１−１＋１−１＋１−１−１＋１−１＋１＋１＋１−１−１＋１＋１＋１］、又は
ゴレイ２６：［＋１＋１＋１＋１−１＋１＋１−１−１＋１−１＋１＋１＋１＋１＋１−１＋１−１−１−１＋１＋１−１−１−１］
【００８９】
[00111]受信機は、第１及び第２のチャネルとＧＦチャネルとに関連する周波数範囲についてのチャネル推定を決定するために、Ｌ−ＣＥＦと、ＣＥＦ−ＧＦと、Ｌ−ＣＥＦとをまとめて使用し得る。又は、言い換えれば、ＥＤＭＧデータペイロードは、第１のチャネルと、ＧＦチャネルと、第２のチャネルとの合成周波数範囲と重複するか又はそれと実質的に同じ周波数範囲を有する周波数範囲を有する結合チャネルを介して送信されるので、受信機は、ＥＤＭＧデータペイロード中のデータを復号するためのチャネル推定を決定するために、Ｌ−ＣＥＦと、ＣＥＦ−ＧＦと、Ｌ−ＣＥＦとをまとめて使用し得る。
【００９０】
[00112]受信機が、第１のチャネルと、ＧＦチャネルと、第２のチャネルとに関連する周波数範囲についてのチャネル推定を正確に決定するために、第１のチャネルとＧＦチャネルとの間の、及び第２のチャネルとＧＦチャネルとの間の周波数重複が最小であることが望ましい。そのような最小の重複を実現するために、第１のチャネルＬ−ＣＥＦと、ＣＥＦ−ＧＦと、第２のチャネルＬ−ＣＥＦとのための整形フィルタは、受信機が、第１のチャネルと、ＧＦチャネルと、第２のチャネルとについてチャネルを正しく推定することを可能にするために、鋭い阻止スカート（sharp rejection skirts）で実装され得る。一例として、及び図１５Ｄ〜図１５Ｅに関して本明細書で更により詳細に例示されるように、整形フィルタは、Ｌ−ＣＥＦとＣＥＦ−ＧＦの両方の周波数範囲間の重複が、それぞれ、周波数範囲の通過帯域の下に実質的に７ｄＢ以上で生じ得るように構成される。整形フィルタの通過帯域は、設計制約（例えば、リップル＜１ｄＢ）があるとすれば、可能な限り平坦であるべきである。一例として、整形フィルタのうちの１つ又は複数は、所望の帯域外阻止及び通過帯域平坦度を達成するために、２００超過のタップをもつカイザー窓ベースのフィルタとして実装され得る。フィルタ出力は、ハードウェアへの影響を回避するために事前計算された信号で実装され得る。
【００９１】
[00113]整形フィルタは、図１５Ａ〜図１５Ｃを参照しながら本明細書で更に説明するように、補間デバイスにおいて実装され得る。単純でない比のための高度に複雑なフィルタを回避するために、補間デバイスは、入力ＣＥＦ−ＧＦ（例えば、ゴレイ）シーケンスをアップサンプリングするために整数又は０．５の整数倍を使用し得る。アップサンプリングは、シーケンス信号が、第１のチャネルと第２のチャネルとの間のＧＦチャネルと、実質的に７２．７２ナノ秒（ｎｓ）の相互相関の遅延拡散とを埋めるように、実質的に４００ＭＨｚの各ＣＥＦ−ＧＦ（例えば、ゴレイ）シーケンスのための帯域幅を達成するために実施される。従って、各ＣＥＦ−ＧＦは、Ｌ−ＣＥＦと実質的に同じ遅延拡散（例えば、実質的に７２．７２ｎｓ）を有することになる。しかしながら、本明細書で説明するフレームの各々において、ＣＥＦ−ＧＦ間隔は、チャネル推定における誤りを低減するために、定義された回数（例えば、８回）だけ反復される複数のＣＥＦ−ＧＦシーケンスを含む。
【００９２】
[00114]一例として、補間デバイスは、前に説明したように、長さ３２、２６及び２０に基づく入力ゴレイシーケンスのための４００ＭＨｚ帯域幅及び７２．７２ｎｓ遅延拡散を達成するために、２つの結合チャネルを有するフレームのために１２〜１８の間の比でアップサンプリングを実施し得る。別の例として、補間デバイスは、前に説明したように、長さ３２、２６及び２０に基づく入力ゴレイシーケンスのための４００ＭＨｚ帯域幅及び７２．７２ｎｓ遅延拡散を達成するために、３つの結合チャネルを有するフレームのために１７〜３２の間の比でアップサンプリングを実施し得る。更なる例として、補間デバイスは、前に説明したように、長さ３２、２６及び２０に基づく入力ゴレイシーケンスのための４００ＭＨｚ帯域幅及び７２．７２ｎｓ遅延拡散を達成するために、４つの結合チャネルを有するフレームのために２３〜４０の間の比でアップサンプリングを実施し得る。
【００９３】
[00115]フレーム４２０の残りは、それぞれ、第１及び第２のチャネルのＬ−ＣＥＦシーケンスに続いて、第１及び第２のチャネルを介して送信されるＬ−ヘッダを含む。ＧＦチャネルはまた、ＣＥＦ−ＧＦに続いて、ＧＦチャネルを介して送信されるヘッダ−ＧＦを含み得る。ヘッダ−ＧＦは、Ｌ−ヘッダ中で与えられる情報以外の追加情報を与えるために、場合によっては送信され得る。第１及び第２のチャネルのためのＬ−ヘッダと、ヘッダ−ＧＦとは、実質的に同じ長さを有し、実質的に時間整合された様式で送信される（例えば、ヘッダの開始及び終了の送信は実質的に同じ時間に行われる）。
【００９４】
[00116]更に、フレーム４２０は、対応するＬ−ヘッダに続いて、第１及び第２のチャネルを介して送信されるＥＤＭＧヘッダ及び随意の付属データを含む。第１及び第２のチャネルのためのＥＤＭＧヘッダは、実質的に同じ長さを有し、実質的に時間整合された様式で送信される（例えば、ＥＤＭＧヘッダの開始及び終了の送信は実質的に同じ時間に行われる）。
【００９５】
[00117]図示のように、フレーム４２０は、第１及び第２のチャネルのＥＤＭＧヘッダに続いて、結合チャネルを介して送信されるＥＤＭＧデータペイロードを含む。フレーム４２０は、結合チャネルの周波数帯域がフレーム４２０の第１及び第２のチャネルの周波数帯域と重複するような、２のチャネル結合の一例である。又は、代替的に、結合チャネルの周波数帯域の下端及び上端が、それぞれ、第１のチャネルの周波数帯域の下端と、第２のチャネルの周波数帯域の上端と実質的に周波数において整合する。結合チャネルの周波数帯域はＧＦチャネルの周波数帯域をも包含するので、受信機が、結合チャネルを介して送信されたＥＤＭＧデータペイロードを復号することを円滑化するために、結合チャネルの周波数範囲についてのチャネル推定を決定又は生成するために受信機によって第１及び第２のチャネルのＬ−ＣＥＦとＧＦチャネルのＣＥＦ−ＧＦとが収集される。
【００９６】
[00118]前に説明したように、Ｌ−ヘッダとＥＤＭＧヘッダとの送信は、レガシー８０２．１１ａｄプロトコルにおいて指定されたＭＣＳを使用して送信される。別個の新しいプロトコル（８０２．１１ａｙ）ペイロード中のデータは、新しいプロトコル８０２．１１ａｙにおいて指定されたＭＣＳのうちの１つを使用して送信される。新しいプロトコルは、レガシー８０２．１１ａｄにおいて指定されたもの以外の追加のＭＣＳを含むので、ＥＤＭＧデータペイロードは、Ｌ−ヘッダとＥＤＭＧヘッダとを送信するために使用されるＭＣＳとは異なるＭＣＳを使用して送信され得る。しかしながら、８０２．１１ａｙが、レガシー８０２．１１ａｄにおいて指定されたのと同じＭＣＳを含み得るとき、ＥＭＤＧデータペイロードを送信するために使用されるＭＣＳは、Ｌ−ヘッダとＥＤＭＧヘッダとを送信するために使用されるＭＣＳと同じであり得ることを理解されたい。
【００９７】
[00119]フレーム４４０は、３のチャネル結合をもつＯＦＤＭフレームの一例である。フレーム４４０は、２のチャネル結合をもつＯＦＤＭフレーム４２０と同様であるが、第２のチャネルと第３のチャネルとの間の周波数内にある追加の第３のチャネルと追加の第２のＧＦチャネルとを含む。ＥＤＭＧデータペイロードは、第１のチャネル、第１のＧＦチャネル、第２のチャネル、第２のＧＦチャネル及び第３のチャネルの周波数帯域と重複する周波数帯域を有する結合チャネルを介して送信される。又は、代替的に、結合チャネルの周波数帯域の下端及び上端が、それぞれ、第１のチャネルの周波数帯域の下端と、第３のチャネルの周波数帯域の上端と実質的に周波数において整合する。結合チャネルを介して送信されたＥＤＭＧデータペイロードの復号を円滑化するために、受信機は、結合チャネルの周波数範囲についてのチャネル推定を決定又は生成するために、第１、第２及び第３のチャネルのＬ−ＣＥＦと、第１及び第２のＧＦチャネルのＣＥＦ−ＧＦとを収集し得る。
【００９８】
[00120]フレーム４６０は、４のチャネル結合をもつＯＦＤＭフレームの一例である。フレーム４６０は、３のチャネル結合をもつＯＦＤＭフレーム４４０と同様であるが、第３のチャネルと第４のチャネルとの間の周波数内にある追加の第４のチャネルと追加の第３のＧＦチャネルとを含む。ＥＤＭＧデータペイロードは、第１のチャネル、第１のＧＦチャネル、第２のチャネル、第２のＧＦチャネル、第３のチャネル、第３のＧＦチャネル及び第４のチャネルの周波数帯域と重複する周波数帯域を有する結合チャネルを介して送信される。又は、代替的に、結合チャネルの周波数帯域の下端及び上端が、それぞれ、第１のチャネルの周波数帯域の下端と、第４のチャネルの周波数帯域の上端と実質的に周波数において整合する。同様に、結合チャネルを介して送信されたデータペイロードの復号を円滑化するために、受信機は、結合チャネルの周波数範囲についてのチャネル推定を決定又は生成するために、第１、第２、第３及び第４のチャネルのＬ−ＣＥＦと、第１、第２及び第３のＧＦチャネルのＣＥＦ−ＧＦとを収集し得る。
【００９９】
[00121]ＯＦＤＭフレーム４００、４２０、４４０及び４６０のためのＥＤＭＧヘッダは、電力差フィールドビットが予約済みビットとして示されることを除いて、前に説明したＥＤＭＧヘッダ３５０とフォーマット的に本質的に同じである。これは、ＯＦＤＭフレームが、フレームの持続時間全体にわたって実質的に均一な平均電力で送信され得るからである。
【０１００】
[00122]フレーム４２０、４４０及び４６０は、それぞれ、２、３及び４のチャネル結合をもつフレームの例であるが、フレームは、４よりも大きいチャネル結合をもつＯＦＤＭフレームを更に与えるように同様の様式で構成され得ることを理解されたい。
【０１０１】
Ｌ−ヘッダとＣＥＦ−ＧＦとが同時に送信されるＯＦＤＭのためのフレームフォーマット
[00123]図５Ａ〜図５Ｃは、本開示の別の態様による、ＯＦＤＭ送信として２つ、３つ、及び４つの結合チャネルを介したデータペイロードの送信のための例示的なフレーム５００、５２０及び５４０を示す。要約すれば、１つ又は複数のギャップ充填（ＧＦ）チャネルのＣＥＦ−ＧＦが、フレーム５００、５２０及び５４０の各々において２つ以上のチャネルのＬ−ヘッダと同じに送信される。
【０１０２】
[00124]２のチャネル結合をもつＯＦＤＭフレーム５００を考慮すると、フレームは、Ｌ−ＳＴＦと、Ｌ−ＣＥＦと、Ｌ−ヘッダと、随意の付属データをもつＥＤＭＧヘッダとの送信のための第１の（より低い周波数）チャネルを含む。フレーム５００は、別のＬ−ＳＴＦと、Ｌ−ＣＥＦと、Ｌ−ヘッダと、随意の付属データをもつＥＤＭＧヘッダとの送信のための第２の（より高い周波数）チャネルを更に備える。第１及び第２のチャネルのＬ−ＳＴＦ、Ｌ−ＣＥＦ、Ｌ−ヘッダ及びＥＤＭＧヘッダは、実質的に同じ送信長さを有し、実質的に時間整合された様式で送信される。第１のチャネルは第１の周波数帯域に関連し、第２のチャネルは、第１の周波数帯域とは異なるか又はそれから離間した第２の周波数帯域に関連する。第１及び第２の周波数帯域は、実質的に１．７６ＧＨｚの帯域幅をそれぞれ有する。
【０１０３】
[00125]フレーム５００は、第１及び第２のチャネルのそれぞれの周波数帯域間にある周波数帯域を含むギャップ充填（ＧＦ）チャネルを更に備える。ＧＦチャネルの帯域幅は４４０ＭＨｚであり得、ここにおいて、ＧＦチャネルの下端の２０ＭＨｚは、（フレームの何らかの部分中に）第１のチャネルの上端の２０と重複し得、ＧＦチャネルの上端の２０ＭＨｚは、（フレームの何らかの部分中に）第２のチャネルの下端の２０ＭＨｚと重複し得る。フレーム５００は、ＧＦチャネルを介した送信のために、第１及び第２のチャネルのＬ−ＳＴＦと実質的に同じ送信長さ又は持続時間を有し、第１及び第２のチャネルのＬ−ＳＴＦと実質的に時間整合された様式で送信のために構成された、ＳＴＦ−ＧＦを含む。受信機は、第１及び第２のチャネルのＬ−ＳＴＦと、ＧＦチャネルのＳＴＦ−ＧＦとを受信して、フレームの残りを受信するためにＡＧＣ（電力）調整及び／又は他の目的を実施し得る。
【０１０４】
[00126]フレーム５００は、ＧＦチャネルを介した送信のためのＣＥＦ−ＧＦを更に備える。ＣＥＦ−ＧＦはゴレイシーケンスに基づき得る。例えば、ＣＥＦ−ＧＦはゴレイシーケンスに基づき得、ゴレイシーケンスの各々は、フレーム４２０、４４０及び４６０を参照しながら前に説明した８０２．１１ａｄ、表２１〜表１８において指定されているように、３２個のシンボルの長さを有する。フレーム５００は、ＣＥＦ−ＧＦの部分が、第１及び第２のチャネルのＬ−ヘッダの部分と同時に送信されるように構成される。より詳細には、又は代替的に、ＣＥＦ−ＧＦが実質的に０．７３μｓの長さを有し、Ｌ−ヘッダが実質的に０．５８μｓの長さをそれぞれ有するので、フレーム５００は、ＣＥＦ−ＧＦの送信が、Ｌ−ヘッダの送信が開始するわずか前に開始し、Ｌ−ヘッダの送信が終了した後に終了するように構成され得る。
【０１０５】
[00127]ＣＥＦ−ＧＦ送信のためのフィルタ要件を簡単にするために、Ｌ−ヘッダ送信は、それぞれ、Ｌ−ヘッダとＣＥＦ−ＧＦとの間に小さい周波数ギャップを設定するために、狭窄フィルタ（又は任意の同様の方法）を介して信号を受け渡すことによって周波数領域内で狭くされ得る。Ｌ−ヘッダ及びＣＥＦ−ＧＦ送信の例示的な周波数スペクトルについては、図１５Ｆ〜図１５Ｇを参照しながら本明細書で更に説明する。
【０１０６】
[00128]フレーム５００は、結合チャネルを介した送信のためのＥＤＭＧデータペイロードを更に備える。ＥＤＭＧデータペイロードの送信は、第１及び第２のチャネルのＥＤＭＧヘッダの送信の後に行われる。結合チャネルは、第１及び第２のチャネル、並びにＧＦチャネルの周波数帯域と重複する周波数帯域を有する。より詳細には、又は代替的に、結合チャネルの周波数帯域の下端は、周波数において第１のチャネルの周波数帯域の下端と実質的に一致し、結合チャネルの周波数帯域の上端は、周波数において第２のチャネルの周波数帯域の上端と実質的に一致する。
【０１０７】
[00129]結合チャネルの周波数帯域は、第１のチャネル、ＧＦチャネル及び第２のチャネルの合成周波数範囲と重複するか又はそれと実質的に一致するので、受信機は、結合チャネルの周波数帯域についてのチャネル推定を決定又は生成するために、第１及び第２のチャネルのＬ−ＣＥＦと、ＧＦチャネルのＣＥＦ−ＧＦとを収集し得る。第１及び第２のチャネルのＬ−ＣＥＦはＣＥＦ−ＧＦよりも早く送信されるので、受信機は、ＣＥＦ−ＧＦを受信するプロセスにおいてＬ−ＣＥＦに関連する情報をバッファする必要があり得る。受信機は、結合チャネルを介して送信されたＥＤＭＧデータペイロードを復号するために、結合チャネルに関連する生成されたチャネル推定を使用する。
【０１０８】
[00130]フレーム５２０は、３のチャネル結合をもつＯＦＤＭフレームの一例である。フレーム５２０は、２のチャネル結合をもつＯＦＤＭフレーム５００のものと同様であるが、第２のチャネルと第３のチャネルとの間の周波数内にある追加の第３のチャネルと追加の第２のＧＦチャネルとを含む。ＥＤＭＧデータペイロードは、第１のチャネル、第１のＧＦチャネル、第２のチャネル、第２のＧＦチャネル及び第３のチャネルの周波数帯域と重複する周波数帯域を有する結合チャネルを介して送信される。又は、代替的に、結合チャネルの周波数帯域の下端及び上端が、それぞれ、第１のチャネルの周波数帯域の下端と、第３のチャネルの周波数帯域の上端と実質的に周波数において整合する。結合チャネルを介して送信されたＥＤＭＧデータペイロードの復号を円滑化するために、受信機は、結合チャネルの周波数帯域についてのチャネル推定を決定又は生成するために、第１、第２及び第３のチャネルのＬ−ＣＥＦと、第１及び第２のＧＦチャネルのＣＥＦ−ＧＦとを収集し得る。
【０１０９】
[00131]フレーム５４０は、４のチャネル結合をもつＯＦＤＭフレームの一例である。フレーム５４０は、３のチャネル結合をもつＯＦＤＭフレーム５２０のものと同様であるが、第３のチャネルと第４のチャネルとの間の周波数内にある追加の第４のチャネルと追加の第３のＧＦチャネルとを含む。ＥＤＭＧデータペイロードは、第１のチャネル、第１のＧＦチャネル、第２のチャネル、第２のＧＦチャネル、第３のチャネル、第３のＧＦチャネル及び第４のチャネルの周波数帯域と重複する周波数帯域を有する結合チャネルを介して送信される。又は、代替的に、結合チャネルの周波数帯域の下端及び上端が、それぞれ、第１のチャネルの周波数帯域の下端と、第４のチャネルの周波数帯域の上端と実質的に周波数において整合する。同様に、結合チャネルを介して送信されたデータペイロードの復号を円滑化するために、受信機は、結合チャネルの周波数帯域についてのチャネル推定を決定又は生成するために、第１、第２、第３及び第４のチャネルのＬ−ＣＥＦと、第１、第２及び第３のＧＦチャネルのＣＥＦ−ＧＦとを収集し得る。
【０１１０】
ＣＥＦ−ＧＦがデータペイロードの部分と同時に送信されるＯＦＤＭのためのフレームフォーマット
[00132]図６Ａ〜図６Ｃは、本開示の別の態様による、ＯＦＤＭ送信として２つ、３つ及び４つの結合チャネルを介したデータペイロードの送信のための例示的なフレーム６００、６２０及び６４０を示す。要約すれば、１つ又は複数のギャップ充填（ＧＦ）チャネルのＣＥＦ−ＧＦが、フレーム６００、６２０及び６４０の各々においてＥＤＭＧデータペイロードの部分と同時に送信される。
【０１１１】
[00133]２のチャネル結合をもつＯＦＤＭフレーム６００を考慮すると、フレームは、Ｌ−ＳＴＦと、Ｌ−ＣＥＦと、Ｌ−ヘッダと、随意の付属データをもつＥＤＭＧヘッダと、ＥＤＭＧデータペイロードの一部分（例えば、２つのＯＦＤＭシンボル）との送信のための第１の（より低い周波数）チャネルを含む。フレーム６００は、別のＬ−ＳＴＦと、Ｌ−ＣＥＦと、Ｌ−ヘッダと、随意の付属データをもつＥＤＭＧヘッダと、ＥＤＭＧデータペイロードの別の部分（例えば、２つのＯＦＤＭシンボル）との送信のための第２のチャネル（より高い周波数）を更に備える。第１及び第２のチャネルのＬ−ＳＴＦ、Ｌ−ＣＥＦ、Ｌ−ヘッダ、ＥＤＭＧヘッダ及びＥＤＭＧデータペイロード部分は実質的に同じ送信長さを有し、実質的に時間整合された様式で送信される。第１のチャネルは第１の周波数帯域に関連し、第２のチャネルは、第１の周波数帯域とは異なるか、又はそれから離間した第２の周波数帯域に関連する。第１及び第２の周波数帯域は、実質的に１．７６ＧＨｚの帯域幅をそれぞれ有する。
【０１１２】
[00134]フレーム６００は、第１及び第２のチャネルのそれぞれの周波数帯域間にある周波数帯域を含むギャップ充填（ＧＦ）チャネルを更に備える。ＧＦチャネルの帯域幅は４４０ＭＨｚであり、ここにおいて、ＧＦチャネルの下端の２０ＭＨｚは第１のチャネルの上端の２０ＭＨｚと重複し得、ＧＦチャネルの上端の２０ＭＨｚは第２のチャネルの下端の２０ＭＨｚと重複し得る。フレーム６００は、ＧＦチャネルを介した送信のために、第１及び第２のチャネルのＬ−ＳＴＦと実質的に同じ送信長さ又は持続時間を有し、第１及び第２のチャネルのＬ−ＳＴＦと実質的に時間整合された様式で送信のために構成された、ＳＴＦ−ＧＦを含む。受信機は、第１及び第２のチャネルのＬ−ＳＴＦと、ＧＦチャネルのＳＴＦ−ＧＦとを受信して、フレームの残りを受信するためにＡＧＣ（電力）調整を実施し得る。
【０１１３】
[00135]フレーム６００は、ＧＦチャネルを介した送信のためのＯＦＤＭ  ＣＥＦ−ＧＦを更に備える。ＯＦＤＭ  ＣＥＦ−ＧＦは、第１及び第２のチャネルを介して送信されるＥＤＭＧデータペイロードの部分中に送信されるパイロット（受信機に知られる情報）を備え得る。例えば、ＯＦＤＭ  ＣＥＦ−ＧＦは、第１及び第２のチャネルを介して送信されるＥＤＭＧデータペイロード部分の２つのＯＦＤＭデータシンボルと同時に又は時間整合された様式で送信され得る。パイロット情報は、スペクトル／時間パターンを回避するために所与の擬似乱数生成器（ＰＲＮＧ：pseudorandom number generator）によってランダム化され得る。結合チャネルの周波数帯域についてより正確なチャネル推定が達成され得るようにＬ−ＣＥＦエッジについても補償するために、ＣＥＦ−ＧＦの送信中のＧＦチャネルの周波数幅は、４００ＭＨｚ又はそれよりもわずかに高いべきである。第１及び第２のチャネルを介したＥＤＭＧデータペイロードの部分（例えば、最初の２つのＯＦＤＭシンボル）の送信中に、データは、パイロット搬送波を回避してサブキャリア中に入れられ、パイロットは、指定されたパイロットサブキャリア中に入れられる。
【０１１４】
[00136]フレーム６００は、結合チャネルを介した送信のためのＥＤＭＧデータペイロードを更に備える。結合チャネルを介したＥＤＭＧデータペイロードの送信の後に、第１及び第２のチャネルを介して送信されるＥＤＭＧデータペイロードの部分と、ＧＦチャネルを介して送信されるＯＦＤＭ  ＣＥＦ−ＧＦとの送信が続く。結合チャネルは、第１及び第２のチャネル並びにＧＦチャネルの周波数帯域と重複する周波数帯域を有する。より詳細には、又は代替的に、結合チャネルの周波数帯域の下端は、周波数において第１のチャネルの下端と実質的に一致し、結合チャネルの周波数帯域の上端は、周波数において第２のチャネルの上端と実質的に一致する。
【０１１５】
[00137]結合チャネルの周波数帯域は、第１のチャネル、ＧＦチャネル及び第２のチャネルの合成周波数帯域と重複するか、又はそれと実質的に一致するので、受信機は、結合チャネルの周波数帯域についてのチャネル推定を決定又は生成するために、第１及び第２のチャネルのＬ−ＣＥＦと、ＧＦチャネルのＯＦＤＭ  ＣＥＦ−ＧＦとを収集し得る。第１及び第２のチャネルのＬ−ＣＥＦはＯＦＤＭ  ＣＥＦ−ＧＦよりも早く送信されるので、受信機は、ＯＦＤＭ  ＣＥＦ−ＧＦを受信するプロセスにある間にＬ−ＣＥＦに関連する情報をバッファする必要があり得る。受信機は、結合チャネルを介して送信されたＥＤＭＧデータペイロードを復号するために、結合チャネルに関連する生成されたチャネル推定を使用する。
【０１１６】
[00138]フレーム６２０は、３のチャネル結合をもつＯＦＤＭフレームの一例である。フレーム６２０は、２のチャネル結合をもつＯＦＤＭフレーム６００のものと同様であるが、第２のチャネルと第３のチャネルとの間の周波数内にある追加の第３のチャネルと追加の第２のＧＦチャネルとを含む。ＥＤＭＧデータペイロードは、第１のチャネル、第１のＧＦチャネル、第２のチャネル、第２のＧＦチャネル及び第３のチャネルの周波数帯域と重複する周波数帯域を有する結合チャネルを介して送信される。又は、代替的に、結合チャネルの周波数帯域の下端及び上端が、それぞれ、第１のチャネルの周波数帯域の下端と、第３のチャネルの周波数帯域の上端と実質的に周波数において整合する。結合チャネルを介して送信されたＥＤＭＧデータペイロードの復号を円滑化するために、受信機は、結合チャネルに関連するチャネル推定を決定又は生成するために、第１、第２及び第３のチャネルのＬ−ＣＥＦと、第１及び第２のＧＦチャネルのＯＦＤＭ  ＣＥＦ−ＧＦとを収集し得る。
【０１１７】
[00139]フレーム６４０は、４のチャネル結合をもつＯＦＤＭフレームの一例である。フレーム６４０は、３のチャネル結合をもつＯＦＤＭフレーム６２０のものと同様であるが、第３のチャネルと第４のチャネルとの間の周波数内にある追加の第４のチャネルと追加の第３のＧＦチャネルとを含む。ＥＤＭＧデータペイロードは、第１のチャネル、第１のＧＦチャネル、第２のチャネル、第２のＧＦチャネル、第３のチャネル、第３のＧＦチャネル及び第４のチャネルの周波数帯域と重複する周波数帯域を有する結合チャネルを介して送信される。又は、代替的に、結合チャネルの周波数帯域の下端及び上端が、それぞれ、第１のチャネルの周波数帯域の下端と、第４のチャネルの周波数帯域の上端と実質的に周波数において整合する。同様に、結合チャネルを介して送信されたＥＤＭＧデータペイロードの復号を円滑化するために、受信機は、結合チャネルに関連するチャネル推定を決定又は生成するために、第１、第２、第３及び第４のチャネルのＬ−ＣＥＦと、第１、第２及び第３のＧＦチャネルのＯＦＤＭ  ＣＥＦ−ＧＦとを収集し得る。
【０１１８】
Ｌ−ＣＥＦとＣＥＦ−ＧＦとが同時に送信されるＳＣ  ＷＢのためのフレームフォーマット
[00140]図７Ａ〜図７Ｃは、本開示の一態様による、シングルキャリア広帯域（ＳＣ  ＷＢ）送信を介したデータの送信のための例示的なフレーム７００、７２０及び７４０を示す。フレーム７００、７２０及び７４０は、それぞれ、２のチャネル結合、３のチャネル結合及び４のチャネル結合を介してデータペイロードを送信するための例示的なフレームであり得る。ＳＣ  ＷＢフレーム７００、７２０及び７４０の構造は、それぞれ、ＯＦＤＭフレーム４２０、４４０及び４６０の構造と実質的に同じである。これは、ＳＣ  ＷＢフレームとＯＦＤＭフレームの両方の処理を簡略化するという利点を有する。
【０１１９】
[00141]ＳＣ  ＷＢフレーム７００、７２０及び７４０と、ＯＦＤＭフレーム４２０、４４０及び４６０との間の主な違いは、データペイロードがフレーム７００、７２０及び７４０中のＳＣ  ＷＢ送信を介して送信され、データペイロードがフレーム４２０、４４０及び４６０中のＯＦＤＭ送信を介して送信されることである。他の違いは、２つ以上のチャネルのＬ−ＳＴＦ、Ｌ−ＣＥＦ、Ｌ−ヘッダ及びＥＤＭＧヘッダ／データと、１つ又は複数のＧＦチャネルとが、図７Ｄの送信電力プロファイル図に示されているようにＥＤＭＧデータペイロードよりも低い電力で送信されることを伴う。前に説明したように、ＥＤＭＧヘッダ及びＬ−ヘッダは、フレームのレガシー部分とＥＤＭＧ部分との間の送信電力差を表すためのビットを含み得る。また、ＳＣ  ＷＢフレーム７００、７２０及び７４０のＬ−ＣＥＦは、８０２．１１ａｄプロトコルによって示される、ＯＦＤＭフレーム４２０、４４０及び４６０のＬ−ＣＥＦのゴレイシーケンスとは異なるゴレイシーケンスに基づき得る。
【０１２０】
Ｌ−ヘッダとＣＥＦ−ＧＦとが同時に送信されるＳＣ  ＷＢのためのフレームフォーマット
[00142]図８Ａ〜図８Ｄは、本開示の一態様による、シングルキャリア広帯域（ＳＣ  ＷＢ）送信を介したデータの送信のための例示的なフレーム８００、８２０及び８４０を示す。フレーム８００、８２０及び８４０は、それぞれ、２のチャネル結合、３のチャネル結合及び４のチャネル結合を介してデータペイロードを送信するための例示的なフレームであり得る。ＳＣ  ＷＢフレーム８００、８２０及び８４０の構造は、それぞれ、ＯＦＤＭフレーム５００、５２０及び５４０の構造と実質的に同じである。この場合も、これは、ＳＣＷＢフレームとＯＦＤＭフレームの両方の処理を簡略化するために行われる。
【０１２１】
[00143]同様に、ＳＣ  ＷＢフレーム８００、８２０及び８４０と、ＯＦＤＭフレーム５００、５２０及び５４０との間の主な違いは、データペイロードがフレーム８００、８２０及び８４０中のＳＣ  ＷＢ送信を介して送信され、データペイロードがフレーム５００、５２０及び４５４０中のＯＦＤＭ送信を介して送信されることである。他の違いは、２つ以上のチャネルのＬ−ＳＴＦ、Ｌ−ＣＥＦ、Ｌ−ヘッダ及びＥＤＭＧヘッダ／データと、１つ又は複数のＧＦチャネルとが、図８Ｄの送信電力プロファイル図に示されているようにＥＤＭＧデータペイロードよりも低い電力で送信されることを伴う。前に説明したように、ＥＤＭＧヘッダ及びＬ−ヘッダは、フレームのレガシー部分とＥＤＭＧ部分との間の送信電力差を表すためのビットを含み得る。また、ＳＣ  ＷＢフレーム８００、８２０及び８４０のＬ−ＣＥＦは、８０２．１１ａｄプロトコルによって示される、ＯＦＤＭフレーム５２０、５４０及び５６０のＬ−ＣＥＦのゴレイシーケンスとは異なるゴレイシーケンスに基づき得る。
【０１２２】
ＥＤＭＧ  ＣＥＦをもつＳＣ  ＷＢのためのフレームフォーマット
[00144]図９Ａ〜図９Ｄは、本開示の一態様による、シングルキャリア広帯域（ＳＣ  ＷＢ）送信を介したデータの送信のための例示的なフレーム９００、９２０及び９４０を示す。フレーム９００、９２０及び９４０は、それぞれ、２のチャネル結合、３のチャネル結合及び４のチャネル結合を介してデータペイロードを送信するための例示的なフレームであり得る。フレーム７００、７２０及び７４０並びにフレーム８００、８２０及び８４０とは異なり、フレーム９００、９２０及び９４０は、ＣＥＦ−ＧＦをもつギャップ充填（ＧＦ）チャネルを含まない。代わりに、フレーム９００、９２０及び９４０は、対応する結合チャネルを介した送信のためのＥＤＭＧ  ＳＴＦとＥＤＭＧ  ＣＥＦとを含む。
【０１２３】
[00145]受信機は、フレームのレガシー部分を受信するために図９Ｄに示されているようにバックオフされるか、又はより低い送信電力に基づいてＡＧＣ（電力）及びタイミング調整のためにフレームのＬ−ＳＴＦレガシー部分を使用する。受信機はまた、フレームのレガシー部分を受信するためのチャネル推定を決定又は生成するためにＬ−ＣＥＦを使用する。受信機は、図９Ｄに示されているようにフレームの８０２．１１ａｙ部分の増加した送信電力レベルに基づいてＡＧＣ（電力）及びタイミング調整のために結合チャネルのＥＤＭＧ  ＳＴＦを使用する。受信機は、結合チャネルに関連するチャネル推定を決定及び生成するために結合チャネルを介して送信されるＥＤＭＧ  ＣＥＦを使用する。
【０１２４】
[00146]図示のように、ＥＤＭＧ送信は、存在する３つのセクション（ＥＤＭＧ  ＳＴＦ、ＥＤＭＧ  ＣＥＦ及びＥＤＭＧデータペイロード）と、随意のビームトレーニングシーケンス（ＴＲＮ）（図示せず）とを含む。ＥＤＭＧ  ＳＴＦは、（レガシーＳＴＦの場合のように）ゴレイコード上に構築される。この期間中に、受信機は、ＡＧＣ、タイミング及び周波数取得を完了することが予想される。ＥＤＭＧ  ＳＴＦは、８０２．１１ａｄと同じ順序でＧａ及びＧｂを使用する。随意に、ゴレイコードは、（８０２．１１ａｄの場合のように）１２８又は２５６又は５１２であり得る。
【０１２５】
[00147]ＥＤＭＧ  ＣＥＦシーケンスはまた、８０２．１１ａｄのＣＥＦシーケンスのゴレイ構成に基づき、１２８個のシーケンスを、２つの結合チャネルの場合は２５６個のシーケンスに、３つ又は４つの結合チャネルの場合は５１２個のシーケンスに、及び５〜８つの結合チャネルの場合は１０２４個に置き換えるにすぎないことがある。長さ２５６、５１２及び１０２４のゴレイシーケンスのフォーマットは、８０２．１１ａｄ規格からのＧａ128及びＧｂ128を使用すると次のようになる。
Ｇａ256＝［Ｇａ128  Ｇｂ128］及びＧｂ256＝［Ｇａ128  −Ｇｂ128］
Ｇａ512＝［Ｇａ256  Ｇｂ256］及びＧｂ512＝［Ｇａ256  −Ｇｂ256］
Ｇａ1024＝［Ｇａ512  Ｇｂ512］及びＧｂ1024＝［Ｇａ512  −Ｇｂ512］
【０１２６】
[00148]ＥＤＭＧデータペイロードは、８０２．１１ａｄと同様のＭＣＳを使用して、以下の変更とともに変調される、即ち、（１）ＢＰＳＫ、ＱＰＳＫ及び１６ＱＡＭに加えて、６４ＱＡＭ、６４ＡＰＳＫ、１２８ＡＰＳＫ、２５６ＱＡＭ、２５６ＡＰＳＫなど、より高い変調が定義される（及び使用され得る）、（２）ＦＦＴブロックは、（８０２．１１ａｄの場合のように）５１２又は７６８、１０２４、１５３６又は２０４８であり得る、及び（３）ＧＩはまた、８０２．１１ａｄの場合のようにゴレイコードであり、３２、６４（８０２．１１ａｄの場合のように）、１２８又は２５６など、更なる長さのオプションがサポートされる。
【０１２７】
[00149]前に説明したように、ビームトレーニングシーケンス（ＴＲＮ）は、全ての場合において随意である。８０２．１１ａｙセクションが使用されない場合、ＴＲＮは８０２．１１ａｄの場合と同じであることに留意されたい。８０２．１１ａｙセクションが使用されるとき、それは８０２．１１ａｙ  ＴＲＮオプションを使用する。８０２．１１ａｙ  ＴＲＮフィールドは、８０２．１１ａｄと同様の方法で構築され、ゴレイコードを２倍又は４倍に増加させる（例えば、１２８の代わりに、２５６又は５１２のゴレイを使用する）ためのオプションがある。
【０１２８】
[00150]例示的なフレーム９００に関して、この事例は、２チャネル結合の事例のための８０２．１１ａｙの拡張である。フレーム９００は、レガシープリアンブル（Ｌ−ＳＴＦ及びＬ−ＣＥＦ）と、Ｌ−ヘッダと、随意の付属データをもつＥＤＭＧヘッダとを送信するための第１のチャネル（図示された上側チャネル）を備える。フレーム９００は、レガシープリアンブル（Ｌ−ＳＴＦ及びＬ−ＣＥＦ）と、Ｌ−ヘッダと、随意の付属データをもつＥＤＭＧヘッダとを送信するための第２のチャネル（図示された下側チャネル）を更に備える。第１のチャネルのＥＤＭＧヘッダの後に来る付属データは、第２のチャネルのＥＤＭＧヘッダの後に来る付属データとは異なり得ることに留意されたい。ＥＤＭＧヘッダの情報フィールドは、前に説明したＥＤＭＧヘッダ３５０に従って構成され得る。フレーム９００の８０２．１１ａｙセクション、即ち結合チャネルを介して送信されるＥＤＭＧ  ＳＴＦ、ＥＤＭＧ  ＣＥＦ、ＥＤＭＧデータペイロード及び随意のＴＲＮは、第１及び第２のチャネルの周波数帯域と重複する周波数帯域を有する。前に説明したように、Ｌ−ＳＴＦ、Ｌ−ＣＥＦ、Ｌ−ヘッダ及びＥＤＭＧヘッダの送信は、レガシー８０２．１１ａｄにおいて指定されたＭＣＳを使用し、ＥＤＭＧ  ＳＴＦ、ＥＤＭＧ  ＣＥＦ及びＥＤＭＧデータペイロードの送信は、８０２．１１ａｙにおいて指定されたＭＣＳを使用し、それらの両方は異なり得る。
【０１２９】
[00151]例示的なフレーム９２０に関して、この事例は、３チャネル結合の事例のための８０２．１１ａｙフレームの拡張である。例示的なフレーム９４０に関して、この事例は、４チャネル結合の事例のための８０２．１１ａｙフレームの拡張である。上記の図から、本方法は、任意の数の連続チャネルに拡張可能であることが明らかである。
【０１３０】
[00152]局が２つ以上のチャネル上で送信するとき、その局は、最先と最後との間の最大差が１．７６ＧＨｚサンプリングレートで１つのシンボル時間を超えないという制約のみで、チャネル間でシンボル時間をどんな時間量でもシフトし得る。それは、最大差が０．５６８ナノ秒に限定されることを意味する。そのようにする主な理由は、アグリゲートされたＰＡＰＲを低減するためである。アグリゲート部分と８０２．１１ａｙ部分との間の時間同期が、第１の（最低周波数）チャネルに対して保持されるべきである。このスキューは、ＳＣ送信に関してのみであり、ＯＦＤＭモードでは許容されないことに留意されたい。例：２チャネルモードでは、シフトは１／２シンボルであり得、ツリーチャネルでは、それは１／３及び２／３シンボルであり得、４チャネルでは、それぞれ１／４、１／２及び３／４シンボルであり得る。
【０１３１】
[00153]図９Ｄは、本開示の別の態様による、例示的なフレーム９００、９２０及び９４０のいずれかのための例示的な送信電力プロファイルを示す。８０２．１１ａｙデータと、アグリゲートレガシープリアンブル及びヘッダとの使用は、ＰＡＰＲ差及び実際的ＰＡにより、異なる送信機バックオフを強いる。どんな変調方式でも、１つの送信は、エラーベクトル振幅（ＥＶＭ）及び／又は送信マスクを準拠したままに保つために、２つ以上のアグリゲートされた信号のために同じ変調が使用される場合よりも少ないＰＡＰＲを有する。異なる変調は異なるＰＡＰＲを有し、従って異なるバックオフを必要とすることに留意されたい。バックオフ値は、（主にＰＡに）実装依存（implementation dependent）である。
【０１３２】
[00154]多くの事例において８０２．１１ａｙ送信を可能な限り効率的に保つために、アグリゲーションモードで送信されるレガシーセクションはより高いバックオフを必要とする。この差は、受信機性能に影響を及ぼし得る問題である。受信機がこれを緩和するのを助けるために、１つはレガシー受信機のために、１つはターゲットにされる１１ａｙ受信機のために、２つの機構が採用され得ることが提案される。送信電力の変更は、図９Ｄに示されているように、アグリゲート期間から８０２．１１ａｙ期間への切替えにおいてである。
【０１３３】
[00155]ターゲットにされる８０２．１１ａｙ受信機は、通常、Ｌ−ＳＴＦの開始において受信チェーンを調整する。レガシー部分と８０２．１１ａｙ部分との間の電力変更がある場合、受信機は飽和状態に入り得る。受信機は、ＥＤＭＧ  ＳＴＦ中にＡＧＣを調整することができるが、これは、８０２．１１ａｙ信号上の周波数及び時間取得など、他のアクティビティのために割り当てられる時間を低減し得る。受信機を助けるために、ＥＤＭＧヘッダ中の電力差フィールドが電力ステップを指定する。受信機は、要求されたＡＧＣステップを予測するためにそれを使用し得、従って、８０２．１１ａｙ部分のためのＡＧＣ処理を短縮し得る。
【０１３４】
[00156]レガシープリアンブル及びＬ−ヘッダを受信するレガシー受信機（８０２．１１ａｄ）は、衝突回避方法のうちの１つとしてＮＡＶを更新するためにこれらの部分を使用する。しかしながら、事例によっては、受信電力は、媒体の再利用を可能にするのに十分低いので、これらの受信機は受信電力をも見る。この事例では、電力ステップは、電力がボーダーに近い場合、受信機の幾つかを惑わせ得る。前述のように、Ｌ−ヘッダフォーマットへの更新は、電力ステップを信号伝達するためのオプションを表している。これらのビットを復号することができるレガシー受信機は、それの電力推定を改善するためにそれに作用し得る。この機能は衝突回避システムにとって重要ではなく、レガシー受信機はそれなしに動作することができることに留意されたい。
【０１３５】
[00157]モードは予約済みビットの多くを使用しており、（例えば、８０２．１１ａｙモードで電力ステップを信号伝達するために）幾つかの追加のビットを有する若干の必要があるので、データ長フィールドのＬＳＢはこの目的のために使用され得る。全ての８０２．１１ａｙモードでは、レガシー長さビットは、ＮＡＶ計算のためにのみ使用される。全てのＭＣＳのために最高４ビットを使用することによって（及びＭＳＣ−１が除外されればなお一層）、ＮＡＶ計算は影響を受けない。レガシー長さの３ＬＳＢビットは、以下の表に従って、８０２．１１ａｄ様の部分（Ｌ−ＳＴＦ、Ｌ−ＣＥＦ、Ｌ−ヘッダ及びＥＤＭＧヘッダ）と、広帯域（ＷＢ）８０２．１１ａｙ部分（ＥＤＭＧ  ＳＴＦ、ＥＤＭＧ  ＣＥＦ及びＥＤＭＧデータペイロード）との間の電力差を信号伝達するために使用される。
【表３】
2018526882.tif 000005
【０１３６】
ショートメッセージのためのフレームフォーマット
[00158]図１０Ａ〜図１０Ｄは、本開示の別の態様による、ショートメッセージの送信のための例示的なフレーム１０００、１０１０、１０２０及び１０３０を示す。フレーム１０００はシングルチャネルフレームの一例である。フレーム１０１０は２チャネルフレームの一例である。フレーム１０２０は３チャネルフレームの一例である。そして、フレーム１０３０はシングルチャネルフレームの一例である。
【０１３７】
[00159]フレームの各チャネルは、レガシーＬ−ＳＴＦ、Ｌ−ＣＥＦ及びＬ−ヘッダを含む。更に、フレームの各チャネルは、付属データをもつＥＤＭＧヘッダを含む。全てのデータは、ＥＤＭＧヘッダに添付されたデータを介して送信されるので、フレーム１０００、１０１０、１０２０及び１０３０中にＥＤＭＧデータペイロードはない。マルチチャネルフレーム１０１０、１０２０及び１０３０に関して、ＥＤＭＧヘッダ中の付属データは、全て同じであるか、又は異なり得る。前に説明したように、付属データは、８０２．１１ａｄプロトコルにおいて指定されている複数のＭＣＳのうちの選択された１つを介して送信される。
【０１３８】
アグリゲートＳＣのためのフレームフォーマット
[00160]図１１Ａ〜図１１Ｄは、本開示の別の態様による、アグリゲートシングルキャリア（ＳＣ）信号の送信のための例示的なフレーム１１００、１１１０、１１２０及び１１３０を示す。アグリゲートモードでの送信は、レガシー８０２．１１ａｄチャネルのアグリゲーションである。８０２．１１ａｙは８０２．１１ａｄのモードを拡張するので、ＥＤＭＧヘッダビットが必要である。
【０１３９】
[00161]（本明細書で更に説明する）アグリゲートＳＣとＳＣ  ＷＢの両方のためのフレームフォーマットは、そのそれらの第１のセクション（Ｌ−ＳＴＦ、Ｌ−ＣＥＦ、Ｌ−ヘッダ及びＥＤＭＧヘッダ）中で同様であり、送信の残りとは異なる。同様の部分は、それが後方互換性特徴について８０２．１１ａｄとの後方互換性があるので、同じに保たれる。それは、レガシー（８０２．１１ａｄ）デバイスが、それを検出し、Ｌ−ヘッダを復号することが可能になることを意味する。前に説明したように、この特徴は、レガシーデバイスがＮＡＶを更新することを可能にし、これは衝突回避方法の一部である。更に、チャネル結合（ＣＢ：channel bonded）モードにおいて、Ｌ−ＳＴＦ、Ｌ−ＣＥＦ及びＬ−ヘッダは、全てのチャネル上のレガシーデバイスがＮＡＶを得ることを円滑化するために、全ての使用されるチャネル上で送信される。
【０１４０】
[00162]レガシー（Ｌ−ＳＴＦ＋Ｌ−ＣＥＦ＋Ｌ−ヘッダ）及びＥＤＭＧヘッダは、アグリゲートされたチャネルにわたって同じ電力を用いて送信されるべきである。しかしながら、ＲＦ障害により、実際の等価等方放射電力（ＥＩＲＰ：effective isotropic radiated power）が異なり得る。８０２．１１ａｙ追加ヘッダ、別名「ＥＤＭＧヘッダ」も、８０２．１１ａｄチャネルにおいて送信される。前に説明したように、ＥＤＭＧヘッダは、８０２．１１ａｙ送信の一部である情報のみを含み、また、ＥＤＭＧデータは同じシンボルに付加され得る。以下の考慮事項、即ち、（１）Ｌ−ＳＴＦ及びＬ−ＣＥＦが適用される（追加のＥＤＭＧ  ＣＥＦは不要）、（２）８０２．１１ａｄデータのためのＬ−ヘッダにおいて定義されている変調及びコード化、（３）ショートメッセージのためのオーバーヘッドを改善するために同じシンボルにアペンドされたデータ、（４）データが、オーバーヘッドを改善するためにＣＢモードでチャネルにわたって分けられる、及び（５）平均電力が、各チャネルにおいて同じに保たれるべきである（Ｌ−ＳＴＦ、Ｌ−ＣＥＦ、Ｌ−ヘッダ及びＥＤＭＧヘッダの電力が同じであることを意味する）が適用される。
【０１４１】
[00163]フレーム１１００の事例は、シングルチャネル事例のための８０２．１１ａｙの拡張である。それは、ＥＤＭＧデータペイロード及び随意のＴＲＮのための８０２．１１ａｙの新しいＭＣＳを円滑化する。フレーム１１１０は、２チャネル事例のための８０２．１１ａｙの拡張である。フレーム１１２０は、３チャネル事例のための８０２．１１ａｙの拡張である。そして、フレーム１１３０は、４チャネル事例のための８０２．１１ａｙの拡張である。ＥＤＭＧヘッダ及び付属データは、電力差ビットがないことを除いて、ＳＣ  ＷＢモードについて説明したものと同じであり、それらは「予約済みビット」に追加される。
【０１４２】
[00164]アグリゲートＳＣのための３つの実装オプション、即ち、（１）各チャネルが独立している、（２）全てのチャネルが混合される、及び（３）全てのチャネルが並列に送信される、がある。この第１のオプションでは、各チャネルは独立している。８０２．１１ａｙセクションのためのＭＣＳは、各チャネルにおいて異なり得る。ＬＤＰＣブロックは１つのチャネルに限定され、各チャネルはそれ自体のブロックを有する。送信機はチャネルごとに異なる電力を割り当て得るが、電力は送信全体の間、固定であるものとする。この事例では、ＥＤＭＧヘッダは各チャネルにおいて異なり得る（例えば、チャネルごとに異なるＭＣＳ）。
【０１４３】
[00165]第２のオプションでは、全てのチャネルは結合及び混合される。８０２．１１ａｙセクションのためのＭＣＳは、全てのチャネルについて同じである。ＬＤＰＣブロックは、チャネル間で一様に拡散される。送信機は、各チャネルの検出確率を一様にするためにチャネルごとに異なる電力を割り当て得る（及び割り当てるべきである）が、電力は送信全体中に固定であるものとする。このオプションでは、ＥＤＭＧヘッダは各チャネルにおいて同じになる。
【０１４４】
[00166]第３のオプションでは、ＥＤＭＧデータペイロード中でデータを送信するためのＭＣＳは、全てのアグリゲートチャネルについて同じである。しかしながら、各チャネルは、独立した符号化された（例えば、ＬＤＰＣ）ブロックを有する。各チャネルは、同様であり、並列に動作する。送信機は、各チャネルの検出確率を一様にするためにチャネルごとに異なる電力を割り当て得る（及び割り当てるべきである）が、電力は送信全体中に固定であるものとする。送信機は、ＬＤＰＣブロックを順次１つずつ充填し、チャネル負荷イベントを保つ。幾つかのチャネル（但し、全てのチャネルではない）における最後のＬＤＰＣブロックは、パディングで充填され得る。このオプションでは、ＥＤＭＧヘッダは各チャネルにおいて同じになる。
【０１４５】
[00167]アグリゲートＳＣと同様である別の送信モードは複製ＳＣである。より詳細には、複製ＳＣでは、アグリゲートチャネルの送信は、同じデータが全てのチャネルにおいて送信されるという特殊な制限を伴って、アグリゲートＳＣの第３の送信オプションと同じである。言い換えれば、各チャネルは他のチャネルの厳密な「コピー」である。
【０１４６】
ＭＩＭＯのためのフレームフォーマット
[00168]ＭＩＭＯでは、レガシープリアンブル（Ｌ−ＳＴＦ及びＬ−ＣＥＦ）が、ＥＤＭＧヘッダとともに各送信チェーンにおいて送られる。８０２．１１ａｃと同様に、偶発的ビームフォーミングを防ぐために、全ての送信の間に遅延が挿入される。
【０１４７】
[00169]ＭＩＭＯチャネル推定では、あまりに多くの待ち時間を生じさせることなしに、及び実質的に同じＳＮＲを保つことなしに、チャネルを推定するための様々な技法が使用され得る。第１は、シーケンス間の遅延の使用である。この遅延が３６．４ｎｓである場合、チャネル遅延は１．７６ＧＨｚにおいて６４個のサンプルよりも大きくないので、チャネル推定（複数）は受信機において分離され得る。第２は、ＰHTLTF、取られたフォーム８０２．１１ｍｃ、セクション２０．３．９．４．６を使用する複数のシーケンスの送信である。第３は、共役対正則シーケンスの送信である。フォース（forth）の技法は、８０２．１１ｍｃ中の２２．３．８．３．５において定義されているＰVHTLTFを使用する複数のシーケンスの送信である。第５は、ＭＩＭＯ推定精度を高めるためにチャネル推定の長さを増加させることである。長さを増加させることは、上記の技法（フォースの技法）を使用して、同じゴレイシーケンスを用いて行われる。このオプションは、チャネル推定の集積時間を２倍にするので、共役又は遅延シーケンスの使用を回避する。
【０１４８】
ＯＦＤＭ  ＭＩＭＯのためのフレームフォーマット
[00170]図１２は、本開示の一態様による、３のチャネル結合を使用するＭＩＭＯ  ＯＦＤＭ信号における３つの空間ストリームの送信のための例示的なフレーム１２００を示す。送信されるプリアンブル（Ｌ−ＳＴＦ及びＬ−ＣＥＦ）並びにＬ−ヘッダは、それらの間に遅延を伴って送信される。２×２までのＭＩＭＯの事例では、この遅延は、ＯＦＤＭにおいてチャネル結合のＳＩＳＯチャネル推定シーケンスを適用することによってＭＩＭＯチャネルを推定するために使用される。３つ以上のストリームの場合、ＥＤＭＧヘッダ信号伝達の後に来る、新しいチャネル推定シーケンスを含める必要がある。このチャネル推定シーケンスは、チャネル結合のためのフォーマットと同じフォーマットに従い、上記で手法を使用して推定に追加の次元が追加される。フレーム１２００は、３のチャネル結合と、３のＭＩＭＯとのための一例である。図示のように、複素相補シーケンスのゼロ相互相関ペアを使用することによって、図示のように、ＭＩＭＯチャネルを推定するためにギャップフィラーシーケンスも使用され得る。
【０１４９】
ＷＢ  ＳＣ  ＭＩＭＯのためのフレームフォーマット
[00171]図１３Ａ〜図１３Ｃは、本開示の一態様による、ＭＩＭＯ  ＳＣ  ＷＢ信号における、２つ、４つ、及び８つの空間ストリームの送信のための例示的なフレーム１３００、１３２０及び１３４０を示す。ＳＣ  ＷＢでは、送信は、ＥＤＭＧ  ＳＴＦの開始の前と、それの後とに、２つの段に分割される。ＥＤＭＧ  ＳＴＦの送信の前に、ＭＩＭＯ送信は、各送信チェーンが、１．７６ＧＨｚにおいて６４個のサンプルだけ遅延されたこの同じ信号を送っているように、Ｌ−ＳＴＦと、Ｌ−ＣＥＦと、Ｌ−ヘッダと、ＥＤＭＧヘッダとを含む。これは、偶発的ビームフォーミングが起こらないことを保証するために行われる。ＥＤＭＧ  ＳＴＦフィールド中に、全ての送信アンテナは同じデータを送る。次いで、ＥＤＭＧ  ＣＥＦ時間間隔において、各アンテナは、受信機が空間チャネル全体を推定することが可能になるように、異なるシーケンスを送っている。
【０１５０】
[00172]例示的なフレーム１３００は、２空間ストリーム、２チャネル結合のための例示的なチャネル推定である。例示的なフレーム１３２０は、４空間ストリーム、２チャネル結合のための例示的なチャネル推定である。例示的なフレーム１３４０は、８空間ストリーム、シングルチャネルのための例示的なチャネル推定である。
【０１５１】
アグリゲートＳＣ  ＭＩＭＯのためのフレームフォーマット
[00173]図１４Ａ〜図１４Ｂは、本開示の別の態様による、ＭＩＭＯアグリゲートＳＣ信号における２つ及び３つの空間ストリームの送信のための例示的なフレーム１４００及び１４２０を示す。ＭＩＭＯアグリゲートＳＣは、ＳＣ−ＷＢモード、即ち、上記の３つの方法と同じ技法を使用し、帯域間のギャップにおけるチャネル推定の差は、基本シーケンスが、複数回送信される８０２．１１ａｄ  ＣＥＦシーケンスであるように、送信されない（いずれにせよそれはＭＩＭＯに関係しない）。
【０１５２】
[00174]例示的なフレーム１４００は一例であり、以下では２ＭＩＭＯを用いた２チャネルについて与えられる。その場合、ＭＩＭＯチャネル推定はレガシープリアンブルのＬ−ＣＥＦを使用して行われるので、追加のＣＥＦシーケンスを追加する必要はない。例示的なフレーム１４２０は、３ＭＩＭＯを用いた３チャネルの事例のための別の例であり、この場合、チャネルを推定するために追加のシーケンスが必要である。提案されるシーケンスは、上記のＳＣ  ＷＢのために使用されるシーケンスと同様である。
【０１５３】
[00175]図１５Ａは、前に説明した様々なフレームのＬ−ＣＥＦ及びＣＥＦ−ＧＦ部分を生成するための例示的な装置１５００（例えば、送信機部分）ブロック図を示す。特に、装置１５００は、２の結合チャネルを備えるフレームのためのＬ−ＣＥＦ及びＣＥＦ−ＧＦ部分を生成するために構成される。装置１５００は、本明細書で説明するどんな処理システムにおいても実装され得る。
【０１５４】
[00176]より詳細には、装置１５００は、入力Ｌ−ＣＥＦシーケンスソース１５１０と、第１の補間デバイス１５１５と、第１の変調器１５２０と、第２の変調器１５２５とを備える。装置１５００は、入力ＣＥＦ−ＧＦシーケンスソース１５５０と、第２の補間デバイス１５５５とを更に備える。更に、装置１５００はコンバイナ１５７０を備える。
【０１５５】
[00177]Ｌ−ＣＥＦシーケンスソース１５１０は、ＩＥＥＥ８０２．１１ａｄプロトコルにおいて指定され得る、入力Ｌ−ＣＥＦシーケンスを生成するように構成される。例えば、そのような入力Ｌ−ＣＥＦシーケンスは、ＩＥＥＥ８０２．１１ａｄプロトコルにおいて指定されている、ＧU512、ＧV512及びＧV128などのゴレイシーケンスに基づき得る。第１の補間デバイス１５１５は、図１５Ｄ〜図１５Ｅにおいて例示されるような、実質的に１．７６ＧＨｚの帯域幅及び７２．７２ｎｓの遅延拡散、並びに所望の通過帯域及び阻止仕様を有する中間Ｌ−ＣＥＦシーケンスを生成するために、入力Ｌ−ＣＥＦシーケンスをアップサンプリングし、フィルタ処理するように構成される。第１の補間デバイス１５１５は、１：４．５のアップサンプリング比によって入力Ｌ−ＣＥＦシーケンスをアップサンプリングするように構成され得る。第１の変調器１５２０は、得られたＬ−ＣＥＦシーケンスを第１の（より低い）チャネルに適切に入れるために、周波数において実質的に−１．０８ＧＨｚの量だけ中間Ｌ−ＣＥＦシーケンスをシフトする。同様に、第２の変調器１５２５は、得られたＬ−ＣＥＦシーケンスを第２の（より高い）チャネルに適切に入れるために、周波数において実質的に＋１．０８ＧＨｚの量だけ中間Ｌ−ＣＥＦシーケンスをシフトする。
【０１５６】
[00178]ＣＥＦ−ＧＦシーケンスソース１５５０は、ゴレイシーケンスに基づき得る、入力ＣＥＦ−ＧＦシーケンスを生成するように構成される。例えば、前に説明したように、入力ＣＥＦ−ＧＦは、場合によってはＩＥＥＥ８０２．１１ａｄプロトコルにおいて指定された３２長さのゴレイシーケンスに基づくか、又は場合によっては２０長さのゴレイシーケンスに基づくか、又は場合によっては２６長さのゴレイシーケンスに基づき得る。第２の補間デバイス１５５５は、図１５Ｄ〜図１５Ｅにおいて例示されるような、実質的に４００ＭＨｚの帯域幅及び実質的に７２．７２ｎｓの遅延拡散並びに所望の通過帯域及び阻止仕様を有する得られたＣＥＦ−ＧＦシーケンスを生成するために、入力ＣＥＦ−ＧＦシーケンスをアップサンプリングし、フィルタ処理するように構成される。第２の補間デバイス１５５５は、１：２７のアップサンプリング比によって入力ＣＥＦ−ＧＦシーケンスをアップサンプリングするように構成され得る。
【０１５７】
[00179]コンバイナ１５７０は、第１及び第２の変調器１５２０及び１５２５の出力において生成される得られたＬ−ＣＥＦシーケンスと、第２の補間デバイス１５５５の出力において生成される得られたＣＥＦ−ＧＦとを合成して、第１及び第２のチャネルを介した送信のためのＬ−ＣＥＦシーケンスと、第１のチャネルと第２のチャネルとの間の周波数内にあるＧＦチャネルを介したＣＥＦ−ＧＦとを備えるフレームの部分を生成する。コンバイナ１５７０の出力は、フレームの対応するアナログ部分を生成するためにデジタルアナログ（ＤＡＣ）変換器に与えられ得る。
【０１５８】
[00180]図１５Ｂは、前に説明した様々なフレームのＬ−ＣＥＦ及びＣＥＦ−ＧＦ部分を生成するための例示的な装置１５０２（例えば、送信機部分）ブロック図を示す。特に、装置１５０２は、３の結合チャネルを備えるフレームのためのＬ−ＣＥＦ及びＣＥＦ−ＧＦ部分を生成するために構成される。装置１５０２は、本明細書で説明するどんな処理システムにおいても実装され得る。
【０１５９】
[00181]装置１５０２は、入力Ｌ−ＣＥＦシーケンスソース１５１０と、第１の補間デバイス１５１５と、入力ＣＥＦ−ＧＦシーケンスソース１５５０と、第２の補間デバイス１５５５と、コンバイナ１５７０とを含む、装置１５００と同じ要素のうちの幾つかを含む。更に、装置１５０２は、第１の変調器１５２２と、第２の変調器１５２７と、第３の変調器１５６０と、第４の変調器１５６５とを備える。
【０１６０】
[00182]Ｌ−ＣＥＦシーケンスソース１５１０は、前に説明したように、入力Ｌ−ＣＥＦシーケンスを生成するように構成される。第１の補間デバイス１５１５は、前に説明したように、実質的に１．７６ＧＨｚの帯域幅及び７２．７２ｎｓの遅延拡散並びに所望の通過帯域及び阻止仕様を有する中間Ｌ−ＣＥＦシーケンスを生成するために、入力Ｌ−ＣＥＦシーケンスをアップサンプリングし、フィルタ処理するように構成される。第１の変調器１５２２は、得られたＬ−ＣＥＦシーケンスを第１の（より低い）チャネルに適切に入れるために、周波数において実質的に−２．１６ＧＨｚの量だけ中間Ｌ−ＣＥＦシーケンスをシフトする。同様に、第２の変調器１５２７は、得られたＬ−ＣＥＦシーケンスを第３の（より高い）チャネルに適切に入れるために、周波数において実質的に＋２．１６ＧＨｚの量だけ中間Ｌ−ＣＥＦシーケンスをシフトする。中間Ｌ−ＣＥＦシーケンスは、それがすでに第１のチャネルと第２のチャネルとの間の第２の（中間）チャネルを介した送信のために構成されているので、周波数シフトされる必要はない。
【０１６１】
[00183]ＣＥＦ−ＧＦシーケンスソース１５５０は、前に説明したように、入力ＣＥＦ−ＧＦシーケンスを生成するように構成される。第２の補間デバイス１５５５は、前に説明したように、実質的に４００ＭＨｚの帯域幅及び実質的に７２．７２ｎｓの遅延拡散を有する得られたＣＥＦ−ＧＦシーケンスを生成するために、入力ＣＥＦ−ＧＦシーケンスをアップサンプリングし、フィルタ処理するように構成される。第３の変調器１５６０は、得られたＣＥＦ−ＧＦシーケンスを、第１のチャネルと第２のチャネルとの間の周波数内にある第１の（より低い）ＧＦチャネルに適切に入れるために、周波数において実質的に−１．０８ＧＨｚの量だけ中間ＣＥＦ−ＧＦシーケンスをシフトする。同様に、第４の変調器１５６５は、得られたＣＥＦ−ＧＦシーケンスを、第２のチャネルと第３のチャネルとの間の周波数内にある第２の（より高い）ＧＦチャネルに適切に入れるために、周波数において実質的に＋１．０８ＧＨｚの量だけ中間ＣＥＦ−ＧＦシーケンスをシフトする。
【０１６２】
[00184]コンバイナ１５７０は、第１及び第２の変調器１５２２及び１５２７の出力並びに第１の補間デバイス１５１５の出力において生成される得られたＬ−ＣＥＦシーケンスと、第３及び第４の変調器１５６０及び１５６５の出力において生成される得られたＣＥＦ−ＧＦとを合成して、それぞれ、第１、第２及び第３のチャネルを介した送信のためのＬ−ＣＥＦシーケンスと、第１のチャネルと第２のチャネルとの間、及び第３のチャネルと第４のチャネルとの間の周波数内にある第１及び第２のＧＦチャネルを介した送信のためのＣＥＦ−ＧＦシーケンスとを備えるフレームの部分を生成する。コンバイナ１５７０の出力は、フレームの対応するアナログ部分を生成するためにデジタルアナログ（ＤＡＣ）変換器に与えられ得る。
【０１６３】
[00185]図１５Ｃは、前に説明した様々なフレームのＬ−ＣＥＦ及びＣＥＦ−ＧＦ部分を生成するための例示的な装置１５０４（例えば、送信機部分）ブロック図を示す。特に、装置１５０４は、４の結合チャネルを備えるフレームのためのＬ−ＣＥＦ及びＣＥＦ−ＧＦ部分を生成するために構成される。装置１５０４は、本明細書で説明するどんな処理システムにおいても実装され得る。
【０１６４】
[00186]装置１５０４は、入力Ｌ−ＣＥＦシーケンスソース１５１０と、第１の補間デバイス１５１５と、入力ＣＥＦ−ＧＦシーケンスソース１５５０と、第２の補間デバイス１５５５と、第１の変調器１５２０と、第２の変調器１５２５と、コンバイナ１５７０とを含む、装置１５００及び１５０２と同じ要素のうちの幾つかを含む。更に、装置１５０４は、第３の変調器１５２４と、第４の変調器１５２９と、第５の変調器１５６２と、第６の変調器１５６７とを備える。
【０１６５】
[00187]Ｌ−ＣＥＦシーケンスソース１５１０は、前に説明したように、入力Ｌ−ＣＥＦシーケンスを生成するように構成される。第１の補間デバイス１５１５は、前に説明したように、実質的に１．７６ＧＨｚの帯域幅及び７２．７２ｎｓの遅延拡散並びに所望の通過帯域及び阻止仕様を有する中間Ｌ−ＣＥＦシーケンスを生成するために、入力Ｌ−ＣＥＦシーケンスをアップサンプリングし、フィルタ処理するように構成される。第１の変調器１５２０は、得られたＬ−ＣＥＦシーケンスを第２のチャネルに適切に入れるために、周波数において実質的に−１．０８ＧＨｚの量だけ中間Ｌ−ＣＥＦシーケンスをシフトする。同様に、第２の変調器１５２５は、得られたＬ−ＣＥＦシーケンスを第３のチャネルに適切に入れるために、周波数において実質的に＋１．０８ＧＨｚの量だけ中間Ｌ−ＣＥＦシーケンスをシフトする。第３の変調器１５２４は、得られたＬ−ＣＥＦシーケンスを第１のチャネルに適切に入れるために、周波数において実質的に−３．２４ＧＨｚの量だけ中間Ｌ−ＣＥＦシーケンスをシフトする。同様に、第４の変調器１５２９は、得られたＬ−ＣＥＦシーケンスを第４のチャネルに適切に入れるために、周波数において実質的に＋３．２４ＧＨｚの量だけ中間Ｌ−ＣＥＦシーケンスをシフトする。
【０１６６】
[00188]ＣＥＦ−ＧＦシーケンスソース１５５０は、前に説明したように、入力ＣＥＦ−ＧＦシーケンスを生成するように構成される。第２の補間デバイス１５５５は、前に説明したように、実質的に４００ＭＨｚの帯域幅及び実質的に７２．７２ｎｓの遅延拡散を有する得られたＣＥＦ−ＧＦシーケンスを生成するために、入力ＣＥＦ−ＧＦシーケンスをアップサンプリングし、フィルタ処理するように構成される。第５の変調器１５６２は、得られたＣＥＦ−ＧＦシーケンスを、第１のチャネルと第２のチャネルとの間の周波数内にある第１の（より低い）ＧＦチャネルに適切に入れるために、周波数において実質的に−２．１６ＧＨｚの量だけ中間ＣＥＦ−ＧＦシーケンスをシフトする。同様に、第６の変調器１５６７は、得られたＣＥＦ−ＧＦシーケンスを、第３のチャネルと第４のチャネルとの間の周波数内にある第３の（より高い）ＧＦチャネルに適切に入れるために、周波数において実質的に＋２．１６ＧＨｚの量だけ中間ＣＥＦ−ＧＦシーケンスをシフトする。中間ＣＥＦ−ＧＦシーケンスは、それがすでに第２のチャネルと第３のチャネルとにある第２の（中間）ＧＦチャネルを介した送信のために構成されているので、周波数シフトされる必要はない。
【０１６７】
[00189]コンバイナ１５７０は、第１、第２、第３及び第４の変調器１５２０、１５２５、１５２４及び１５２９の出力において生成される得られたＬ−ＣＥＦシーケンスと、第５及び第６の変調器１５６２及び１５６７の出力において生成される得られたＣＥＦ−ＧＦと、第２の補間デバイス１５５５の出力において生成されるＣＥＦ−ＧＦとを合成して、それぞれ、第１、第２、第３及び第４のチャネルを介した送信のためのＬ−ＣＥＦシーケンスと、第１のチャネルと第２のチャネルとの間、第２のチャネルと第３のチャネルとの間及び第３のチャネルと第４のチャネルとの間の周波数内にある第１、第２及び第３のＧＦチャネルを介した送信のためのＣＥＦ−ＧＦシーケンスとを備えるフレームの部分を生成する。コンバイナ１５７０の出力は、フレームの対応するアナログ部分を生成するためにデジタルアナログ（ＤＡＣ）変換器に与えられ得る。
【０１６８】
[00190]図１５Ｄ〜図１５Ｅは、前に説明したフレーム４２０、４４０、４６０、７００、７２０及び７４０のいずれかのＬ−ＣＥＦ｜ＣＥＦ−ＧＦ｜Ｌ−ＣＥＦ部分の例示的な周波数スペクトルの図を示す。特に、図１５Ｄは、Ｌ−ＣＥＦ、ＣＥＦ−ＧＦ及びＬ−ＣＥＦに関連する周波数応答のより広い周波数ビューを示す。そして、図１５Ｅは、Ｌ−ＣＥＦ、ＣＥＦ−ＧＦ及びＬ−ＣＥＦに関連する周波数応答の狭い周波数ビューを示す。例示的な周波数応答は、２のチャネル結合を含むフレームに関係し得る。
【０１６９】
[00191]図１５Ｄに示されているように、Ｌ−ＣＥＦ、ＣＥＦ−ＧＦ及びＬ−ＣＥＦに関連する周波数帯域の通過帯域は、対応する結合チャネルの周波数帯域についてチャネル推定を決定又は生成する際に受信機によって考慮に入れられ得る、多少のリップル（例えば、＜１ｄＢリップル）を有する。対応する結合チャネルの周波数帯域は、少なくとも、Ｌ−ＣＥＦ、ＣＥＦ−ＧＦ及びＬ−ＣＥＦに関連する周波数帯域と重複する。又は、代替的に、結合チャネルの周波数帯域の下端は、周波数において第１のチャネルの下端と実質的に一致し得、結合チャネルの周波数帯域の上端は、周波数において第２のチャネルの上端と実質的に一致し得る。
【０１７０】
[00192]特に図１５Ｅに注意を向けると、例示的な周波数応答に対応するフレームを生成するための補間デバイスにおいて実装されるフィルタは、第１のチャネルＬ−ＣＥＦとＣＥＦ−ＧＦ及びＣＥＦ−ＧＦと第２のチャネルＬ−ＣＥＦに関連する周波数帯域の交差部において７ｄＢ以上の阻止を与えるように構成され得る。前に説明したように、フィルタは、２００超過のタップをもつカイザー窓ベースのフィルタ、又は他の実装形態として実装され得る。
【０１７１】
[00193]図１５Ｆは、前に説明したフレーム５００、５２０、５４０、８００、８２０及び８４０のいずれかのＬ−ＣＥＦ｜｜Ｌ−ＣＥＳ｜｜Ｌ−ＣＥＦ部分の例示的な周波数スペクトルの図を示す。この例では、例示的な周波数スペクトルは、より詳細には３つのレガシーチャネルのＬ−ＣＥＦに関係するが、同様の周波数スペクトルは、２つのチャネル（１つのチャネルが除去され、零周波数に中心を置かれる）と、４つのチャネル（１つのチャネルが追加され、零周波数に中心を置かれる）とのＬ−ＣＥＦに適用されることを理解されたい。
【０１７２】
[00194]図示のように、Ｌ−ＣＥＦフレーム部分の各々の通過帯域は、実質的に１．７６ＧＨｚであり、選択されたフィルタに基づいて比較的平坦である。フレームのＬ−ＣＥＦ部分中に、ＧＦ周波数帯域を中心とする信号はないので、隣接するＬ−ＣＥＦチャネルの周波数帯域間の重複は−１７ｄＢ以上において生じる。フレームのこの部分におけるＧＦ信号の不在のために、Ｌ−ＣＥＦのためのフィルタ要件は、フレーム４２０、４４０、４６０、７００、７２０及び７４０のＬ−ＣＥＦ｜ＣＥＦ−ＧＦ｜Ｌ−ＣＥＦ部分のフィルタ要求と比較して緩和され得る。
【０１７３】
[00195]図１５Ｆ〜図１５Ｇは、前に説明したフレーム５００、５２０、５４０、８００、８２０及び８４０のいずれかのＬ−ヘッダ｜ＣＥＦ−ＧＦ｜Ｌ−ヘッダ｜ＣＥＦ−ＧＦ｜Ｌ−ヘッダ部分に関連する周波数帯域の周波数応答の図を示す。同様に、この例では、例示的な周波数スペクトルは、より詳細には３レガシーチャネルフレームのＬ−ＣＥＦ｜ＣＥＦ−ＧＦ部分に関係するが、同様の周波数スペクトルは、２チャネルフレーム（Ｌ−ＣＥＦ｜ＣＥＦ−ＧＦチャネルの１つのセットが除去され、零周波数に中心を置かれる）と、４つのチャネル（Ｌ−ＣＥＦ｜ＣＥＦ−ＧＦチャネルの１つのセットが追加され、零周波数に中心を置かれる）とのＬ−ＣＥＦ｜ＣＥＦ−ＧＦ部分に適用されることを理解されたい。
【０１７４】
[00196]図示のように、Ｌ−ヘッダフレーム部分の各々の通過帯域は約１．３〜１．５ＧＨｚであり、対応するチャネルの帯域幅１．７６ＧＨｚよりも小さい。説明したように、これも、フレームのＣＥＦ−ＧＦ部分に関連するフィルタの要件を緩和する。また、図示のように、Ｌ−ヘッダ部分の通過帯域は、選択されたフィルタに基づいて比較的平坦に構成される。
【０１７５】
[00197]ＣＥＦ−ＧＦフレーム部分の各々の通過帯域は、フレームのＬ−ヘッダ部分の周波数狭窄のために、実質的に４００ＭＨｚであるか、又はそれよりもわずかに大きい。ＣＥＦ−ＧＦフレーム部分の各々の通過帯域も、選択されたフィルタに基づいて比較的平坦である。図示のように、Ｌ−ヘッダ部分とＣＥＦ−ＧＦ部分との周波数帯域間の重複は−１７ｄＢ以上において生じる。
【０１７６】
[00198]図１６は、本開示の幾つかの態様による、例示的なデバイス１６００を示す。デバイス１６００は、アクセスポイント（例えば、アクセスポイント２１０）又はアクセス端末（例えば、アクセス端末）において動作し、本明細書で説明する動作のうちの１つ又は複数を実施するように構成され得る。デバイス１６００は、処理システム１６２０と、処理システム１６２０に結合されたメモリ１６１０とを含む。メモリ１６１０は、処理システム１６２０によって実行されたとき、本明細書で説明する動作のうちの１つ又は複数を処理システム１６２０に実施させる命令を記憶し得る。処理システム１６２０の例示的な実装形態が以下で与えられる。デバイス１６００は、処理システム１６２０に連結された送信／受信機インターフェース１６３０をも備える。インターフェース１６３０（例えば、インターフェースバス）は、以下で更に説明するように、無線周波数（ＲＦ）フロントエンド（例えば、トランシーバ２２６−１〜２２６−Ｎ、２６６）に処理システム１６２０をインターフェースするように構成され得る。
【０１７７】
[00199]幾つかの態様では、処理システム１６２０は、以下のうちの１つ又は複数、即ち、本明細書で説明する動作のうちの１つ又は複数を実施するための、送信データプロセッサ（例えば、送信データプロセッサ２２０又は２６０）、フレームビルダー（例えば、フレームビルダー２２２又は２６２）、送信プロセッサ（例えば、送信プロセッサ２２４又は２６４）及び／又はコントローラ（例えば、コントローラ２３４又は２７４）を含み得る。これらの態様では、処理システム１６２０は、フレームを生成し、（例えば、アクセスポイント又はアクセス端末への）ワイヤレス送信のためにインターフェース１６３０を介してＲＦフロントエンド（例えば、トランシーバ２２６又は２６６）にフレームを出力し得る。
【０１７８】
[00200]幾つかの態様では、処理システム１６２０は、以下のうちの１つ又は複数、即ち、本明細書で説明する動作のうちの１つ又は複数を実施するための、受信プロセッサ（例えば、受信プロセッサ２４２又は２８２）、受信データプロセッサ（例えば、受信データプロセッサ２４４又は２８４）及び／又はコントローラ（例えば、コントローラ２３４、２７４）を含み得る。これらの態様では、処理システム１６２０は、上記で説明した態様のうちのいずれか１つ又は複数に従って、インターフェース１６３０を介してＲＦフロントエンド（例えば、トランシーバ２２６−１〜２２６−Ｎ、２６６、）からフレームを受信し、フレームを処理し得る。
【０１７９】
[00201]アクセス端末２５０の場合、デバイス１６００は、処理システム１６２０に連結されたユーザインターフェース１６４０を含み得る。ユーザインターフェース１６４０は、（例えば、キーパッド、マウス、ジョイスティックなどを介して）ユーザからデータを受信し、処理システム１６２０にデータを与えるように構成され得る。ユーザインターフェース１６４０はまた、（例えば、ディスプレイ、スピーカーなどを介して）処理システム１６２０からのデータをユーザに出力するように構成され得る。この場合、データは、ユーザに出力される前に、追加の処理を受け得る。アクセスポイント２１０の場合、ユーザインターフェース１６４０は省略され得る。
【０１８０】
[00202]処理システム１６２０、フレームビルダー２２２及び／又はフレームビルダー２６２は、Ｌ−ＳＴＦ、Ｌ−ＣＥＦ、Ｌ−ヘッダ、随意の付属データを含むＥＤＭＧヘッダ、ＥＤＭＧデータペイロード又はそれの部分、ＳＴＦ−ＧＦ、ＣＥＦ−ＧＦ、ＯＦＤＭ  ＣＥＦ−ＧＦ及びそれの変形態（例えば、ＯＦＤＭ  ＣＥＦ−ＧＦ＊など）、ＥＤＭＧ  ＳＴＦ並びにＥＤＭＧ  ＣＥＦ及びそれの変形態（例えば、ＥＤＭＧ  ＣＥＦ＊など）など、フレームのいずれか、又は全ての構成要素を含む、フレームを生成するための手段の例である。更に、処理システム１６２０、フレームビルダー２２２、フレームビルダー２６２、補間デバイス１５１５及び／又は１５５５は、第１及び／又は第２の入力チャネル推定シーケンスをアップサンプリングするための手段の例である。同様に、処理システム１６２０、フレームビルダー２２２、フレームビルダー２６２及び／又は変調器１５２０、１５２５、１５２２、１５２７、１５６０、１５６５、１５２４、１５２９、１５６２及び１５６７は、第１及び／又は第２のチャネル推定シーケンスを周波数シフトすることによって第１及び／又は第２のチャネル推定シーケンスを生成するための手段の例である。更に、送信／受信インターフェース１６３０、送信プロセッサ２２４及び送信プロセッサ２６４は、送信のためにフレームを出力するための手段の例である。
【０１８１】
[00203]上記で説明した方法の様々な動作は、対応する機能を実施することが可能な任意の好適な手段によって実施され得る。それらの手段は、限定はしないが、回路、特定用途向け集積回路（ＡＳＩＣ）又はプロセッサを含む、様々な（１つ又は複数の）ハードウェア及び／又はソフトウェア構成要素及び／又はモジュールを含み得る。概して、図に示されている動作がある場合、それらの動作は、同様の番号をもつ対応するカウンターパートのミーンズプラスファンクション構成要素を有し得る。
【０１８２】
[00204]幾つかの場合には、フレームを実際に送信するのではなく、デバイスは、送信のためにフレームを出力するためのインターフェース（出力するための手段）を有し得る。例えば、プロセッサは、バスインターフェースを介して、送信のために無線周波数（ＲＦ）フロントエンドにフレームを出力し得る。同様に、フレームを実際に受信するのではなく、デバイスは、別のデバイスから受信されたフレームを取得するためのインターフェース（取得するための手段）を有し得る。例えば、プロセッサは、バスインターフェースを介して、受信のためにＲＦフロントエンドからフレームを取得（又は受信）し得る。
【０１８３】
[00205]本明細書で使用される「決定すること」という用語は、多種多様なアクションを包含する。例えば、「決定すること」は、計算すること、算出すること、処理すること、導出すること、調査すること、ルックアップすること（例えば、テーブル、データベース又は別のデータ構造においてルックアップすること）、確認することなどを含み得る。また、「決定すること」は、受信すること（例えば、情報を受信すること）、アクセスすること（例えば、メモリ中のデータにアクセスすること）などを含み得る。また、「決定すること」は、解決すること、選択すること、選定すること、確立することなどを含み得る。
【０１８４】
[00206]本明細書で使用される、項目のリスト「のうちの少なくとも１つ」を指す句は、単一のメンバーを含む、それらの項目の任意の組合せを指す。一例として、「ａ、ｂ又はｃのうちの少なくとも１つ」は、ａ、ｂ、ｃ、ａ−ｂ、ａ−ｃ、ｂ−ｃ及びａ−ｂ−ｃ、並びに複数の同じ要素をもつ任意の組合せ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ及びｃ−ｃ−ｃ、又はａ、ｂ及びｃの任意の他の順序）を包含するものとする。
【０１８５】
[00207]本開示に関連して説明した様々な例示的な論理ブロック、モジュール及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブル論理デバイス（ＰＬＤ）、個別ゲート又はトランジスタ論理、個別ハードウェア構成要素若しくは本明細書で説明した機能を実施するように設計されたそれらの任意の組合せを用いて実装又は実施され得る。汎用プロセッサはマイクロプロセッサであり得るが、代替として、プロセッサは、任意の市販のプロセッサ、コントローラ、マイクロコントローラ又は状態機械であり得る。プロセッサはまた、コンピュータデバイスの組合せ、例えば、ＤＳＰとマイクロプロセッサとの組合せ、複数のマイクロプロセッサ、ＤＳＰコアと連携する１つ以上のマイクロプロセッサ又は任意の他のそのような構成として実装され得る。
【０１８６】
[00208]本明細書で説明した処理は、上記で説明した任意のデジタル手段及び又は任意のアナログ手段若しくは回路によって実施され得ることを理解されたい。
【０１８７】
[00209]本開示に関連して説明した方法又はアルゴリズムのステップは、ハードウェアで直接実施されるか、プロセッサによって実行されるソフトウェアモジュールで実施されるか、又はその２つの組合せで実施され得る。ソフトウェアモジュールは、当技術分野で知られている任意の形態の記憶媒体中に存在し得る。使用され得る記憶媒体の幾つかの例としては、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令又は多くの命令を備え得、幾つかの異なるコードセグメント上で、異なるプログラム間で、及び複数の記憶媒体にわたって分散され得る。記憶媒体は、プロセッサがその記憶媒体から情報を読み取ることができ、その記憶媒体に情報を書き込むことができるように、プロセッサに連結され得る。代替として、記憶媒体はプロセッサと一体であり得る。
【０１８８】
[00210]本明細書で開示する方法は、説明した方法を達成するための１つ又は複数のステップ又は行為を備える。方法のステップ及び／又は行為は、特許請求の範囲から逸脱することなく、互いに交換され得る。言い換えれば、ステップ又は行為の特定の順序が指定されていない限り、特定のステップ及び／又は行為の順序及び／又は使用は、特許請求の範囲から逸脱することなく変更され得る。
【０１８９】
[00211]説明した機能は、ハードウェア、ソフトウェア、ファームウェア、又はそれらの任意の組合せで実装され得る。ハードウェアで実装される場合、例示的なハードウェア構成は、ワイヤレスノード中に処理システムを備え得る。処理システムは、バスアーキテクチャを用いて実装され得る。バスは、処理システムの特定の適用例及び全体的な設計制約に応じて、任意の数の相互接続バス及びブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。アクセス端末２２０（図１参照）の場合、ユーザインターフェース（例えば、キーパッド、ディスプレイ、マウス、ジョイスティックなど）もまたバスに接続され得る。バスはまた、タイミングソース、周辺機器、電圧調整器、電力管理回路などの様々な他の回路にリンクし得るが、それらは当技術分野でよく知られており、従ってこれ以上説明しない。
【０１９０】
[00212]プロセッサは、機械可読媒体に記憶されたソフトウェアの実行を含む、バス及び一般的な処理を管理することを担当し得る。プロセッサは、１つ以上の汎用及び／又は専用プロセッサを用いて実装され得る。例としては、マイクロプロセッサ、マイクロコントローラ、ＤＳＰプロセッサ及びソフトウェアを実行することができる他の回路がある。ソフトウェアは、ソフトウェア、ファームウェア、ミドルウェア、マイクロコード、ハードウェア記述言語などの名称にかかわらず、命令、データ、又はそれらの任意の組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、又は他の好適な記憶媒体若しくはそれらの任意の組合せを含み得る。機械可読媒体はコンピュータプログラム製品において実施され得る。コンピュータプログラム製品はパッケージング材料を備え得る。
【０１９１】
[00213]ハードウェア実装形態では、機械可読媒体は、プロセッサとは別個の処理システムの一部であり得る。しかしながら、当業者なら容易に諒解するように、機械可読媒体又はそれの任意の部分は処理システムの外部にあり得る。例として、機械可読媒体は、全てバスインターフェースを介してプロセッサによってアクセスされ得る、伝送線路、データによって変調された搬送波及び／又はワイヤレスノードとは別個のコンピュータ製品を含み得る。代替的に、又は追加で、機械可読媒体又はそれの任意の部分は、キャッシュ及び／又は汎用レジスタファイルがそうであり得るように、プロセッサに統合され得る。
【０１９２】
[00214]処理システムは、全て外部バスアーキテクチャを介して他のサポート回路と互いにリンクされる、プロセッサ機能を提供する１つ又は複数のマイクロプロセッサと、機械可読媒体の少なくとも一部分を提供する外部メモリとをもつ汎用処理システムとして構成され得る。代替的に、処理システムは、プロセッサをもつＡＳＩＣ（特定用途向け集積回路）と、バスインターフェースと、アクセス端末）の場合はユーザインターフェースと、サポート回路と、単一のチップに統合された機械可読媒体の少なくとも一部分とを用いて、又は１つ以上のＦＰＧＡ（フィールドプログラマブルゲートアレイ）、ＰＬＤ（プログラマブル論理デバイス）、コントローラ、状態機械、ゲート論理、個別ハードウェア構成要素若しくは他の好適な回路、又は本開示全体にわたって説明した様々な機能を実施することができる回路の任意の組合せを用いて、実装され得る。当業者は、特定の適用例と、全体的なシステムに課される全体的な設計制約とに応じて、処理システムについて説明した機能を最適に実装する方法を理解されよう。
【０１９３】
[00215]機械可読媒体は幾つかのソフトウェアモジュールを備え得る。ソフトウェアモジュールは、プロセッサによって実行されたとき、処理システムに様々な機能を実施させる命令を含む。ソフトウェアモジュールは、送信モジュールと受信モジュールとを含み得る。各ソフトウェアモジュールは、単一のストレージデバイス中に存在するか、又は複数のストレージ（記憶）デバイスにわたって分散され得る。例として、トリガイベントが発生したとき、ソフトウェアモジュールがハードドライブからＲＡＭにロードされ得る。ソフトウェアモジュールの実行中に、プロセッサは、アクセス速度を高めるために、命令のうちの幾つかをキャッシュにロードし得る。次いで、１つ又は複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行するとき、プロセッサによって実装されることが理解されよう。
【０１９４】
[00216]ソフトウェアで実装される場合、機能は、１つ以上の命令若しくはコードとしてコンピュータ可読媒体上に記憶されるか、又はコンピュータ可読媒体を介して送信され得る。コンピュータ可読媒体は、ある場所から別の場所へのコンピュータプログラムの移転を円滑化する任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ若しくは他の光ディスクストレージ、磁気ディスクストレージ若しくは他の磁気ストレージデバイス又は命令若しくはデータ構造の形態の所望のプログラムコードを搬送若しくは記憶するために使用され得、コンピュータによってアクセスされ得る任意の他の媒体を備え得る。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、又は赤外線（ＩＲ）、無線及びマイクロ波などのワイヤレス技術を使用して、ウェブサイト、サーバ、又は他のリモートソースから送信される場合、同軸ケーブル、光ファイバーケーブル、ツイストペア、ＤＳＬ又は赤外線、無線及びマイクロ波などのワイヤレス技術は、媒体の定義に含まれる。本明細書で使用されるディスク（disk）及びディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）及びＢｌｕ−ｒａｙ（登録商標）ディスク（disc）を含み、ここで、ディスク（disk）は、通常、データを磁気的に再生し、ディスク（disc）は、データをレーザーで光学的に再生する。従って、幾つかの態様では、コンピュータ可読媒体は非一時的コンピュータ可読媒体（例えば、有形媒体）を備え得る。更に、他の態様では、コンピュータ可読媒体は、一時的コンピュータ可読媒体（例えば、信号）を備え得る。上記の組合せもコンピュータ可読媒体の範囲内に含まれるべきである。
【０１９５】
[00217]従って、幾つかの態様は、本明細書で提示された動作を実施するためのコンピュータプログラム製品を備え得る。例えば、そのようなコンピュータプログラム製品は、本明細書で説明した動作を実施するために１つ又は複数のプロセッサによって実行可能な命令を記憶した（及び／又は符号化した）コンピュータ可読媒体を備え得る。幾つかの態様では、コンピュータプログラム製品はパッケージング材料を含み得る。
【０１９６】
[00218]更に、本明細書で説明した方法及び技法を実施するためのモジュール及び／又は他の適切な手段は、適用可能な場合にユーザ端末及び／又は基地局によってダウンロードされ、及び／又は他の方法で取得され得ることを諒解されたい。例えば、そのようなデバイスは、本明細書で説明した方法を実施するための手段の転送を円滑化するためにサーバに連結され得る。代替的に、本明細書で説明した様々な方法は、ユーザ端末及び／又は基地局が記憶手段（例えば、ＲＡＭ、ＲＯＭ、コンパクトディスク（ＣＤ）又はフロッピーディスクなどの物理記憶媒体など）をデバイスに連結するか、又は与えると様々な方法を得ることができるように、記憶手段によって提供され得る。その上、本明細書で説明した方法及び技法をデバイスに与えるための任意の他の好適な技法が利用され得る。
【０１９７】
[00219]特許請求の範囲は、上記に示された厳密な構成及び構成要素に限定されないことを理解されたい。上記で説明した方法及び装置の構成、動作及び詳細において、特許請求の範囲から逸脱することなく、様々な改変、変更及び変形が行われ得る。
【図１】
2018526882.tif 000006
【図２】
2018526882.tif 000007
【図３Ａ】
2018526882.tif 000008
【図３Ｂ】
2018526882.tif 000009
【図４Ａ】
2018526882.tif 000010
【図４Ｂ】
2018526882.tif 000011
【図４Ｃ】
2018526882.tif 000012
【図４Ｄ】
2018526882.tif 000013
【図５Ａ】
2018526882.tif 000014
【図５Ｂ】
2018526882.tif 000015
【図５Ｃ】
2018526882.tif 000016
【図６Ａ】
2018526882.tif 000017
【図６Ｂ】
2018526882.tif 000018
【図６Ｃ】
2018526882.tif 000019
【図７】
2018526882.tif 000020
【図８】
2018526882.tif 000021
【図９】
2018526882.tif 000022
【図１０Ａ】
2018526882.tif 000023
【図１０Ｂ】
2018526882.tif 000024
【図１０Ｃ】
2018526882.tif 000025
【図１０Ｄ】
2018526882.tif 000026
【図１１Ａ】
2018526882.tif 000027
【図１１Ｂ】
2018526882.tif 000028
【図１１Ｃ】
2018526882.tif 000029
【図１１Ｄ】
2018526882.tif 000030
【図１２】
2018526882.tif 000031
【図１３Ａ】
2018526882.tif 000032
【図１３Ｂ】
2018526882.tif 000033
【図１３Ｃ】
2018526882.tif 000034
【図１４Ａ】
2018526882.tif 000035
【図１４Ｂ】
2018526882.tif 000036
【図１５Ａ】
2018526882.tif 000037
【図１５Ｂ】
2018526882.tif 000038
【図１５Ｃ】
2018526882.tif 000039
【図１５Ｄ】
2018526882.tif 000040
【図１５Ｅ】
2018526882.tif 000041
【図１５Ｆ】
2018526882.tif 000042
【図１５Ｇ】
2018526882.tif 000043
【図１６】
2018526882.tif 000044
【国際調査報告】
2018526882.tif 000045
2018526882.tif 000046